(57)【特許請求の範囲】
【請求項１】
第１のワイヤレスデバイスによって実行されるワイヤレス通信の方法であって、
第２のワイヤレスデバイスが共有無線周波数スペクトルへのアクセスを取得したという指示について、サブフレームの少なくとも１つの所定のシンボル期間を監視することと、
前記指示を検出したことに基づいて、前記共有無線周波数スペクトル上での前記第２のワイヤレスデバイスによる送信のための開始シンボル期間を複数の可能なシンボル期間の中で決定することと、
前記決定された開始シンボル期間に基づいて、前記共有無線周波数スペクトル上での前記第２のワイヤレスデバイスによる前記送信を受信することと
を備える、方法。
【請求項２】
前記開始シンボル期間の後に送信されたシンボル中で、前記第２のワイヤレスデバイスが前記共有無線周波数スペクトルへのアクセスを取得したという前記指示を検出すること
をさらに備える、請求項１に記載の方法。
【請求項３】
前記監視することが、複数の所定のシンボル期間を監視することを備え、前記方法は、  前記複数の所定のシンボル期間のうちの１つ中で、前記第２のワイヤレスデバイスが前記共有無線周波数スペクトルへのアクセスを取得したという前記指示を検出すること
をさらに備える、請求項１に記載の方法。
【請求項４】
前記サブフレームを備える無線フレームの持続時間に基づいて、前記サブフレームの前記少なくとも１つの所定のシンボル期間を識別すること
をさらに備える、請求項１に記載の方法。
【請求項５】
前記開始シンボル期間に基づいて、基準信号を監視するための少なくとも１つのシンボル期間、前記基準信号または制御チャネルを監視するための前記共有無線周波数スペクトルの少なくとも１つのリソース要素、前記第２のワイヤレスデバイスによる前記送信を受信するためのリソース要素アグリゲーションレベル、前記第２のワイヤレスデバイスによる前記送信を受信するためのトランスポートブロックスケーリング、前記第２のワイヤレスデバイスによって送信されるチャネル使用ビーコン信号（ＣＵＢＳ）の持続時間、前記ＣＵＢＳのコンテンツ、あるいは次のサブフレーム境界の前のシンボルの数のうちの少なくとも１つを決定すること
をさらに備える、請求項１に記載の方法。
【請求項６】
前記第２のワイヤレスデバイスによる前記送信の、無線フレームの１サブフレーム超に及ぶ仮想サブフレームへのマッピングを決定することをさらに備え、ここにおいて、前記第２のワイヤレスデバイスによる前記送信を受信することが、前記無線フレームの前記１サブフレーム超にわたる前記送信を受信することを備える、
請求項１に記載の方法。
【請求項７】
前記第２のワイヤレスデバイスによる前記送信の一部として基準信号を受信することをさらに備え、ここにおいて、前記基準信号を受信することのタイミングが、前記無線フレームのサブフレームのフォーマットによって決定される、
請求項６に記載の方法。
【請求項８】
ワイヤレス通信のための第１のワイヤレスデバイスであって、
第２のワイヤレスデバイスが共有無線周波数スペクトルへのアクセスを取得したという指示について、サブフレームの少なくとも１つの所定のシンボル期間を監視するための手段と、
前記指示を検出したことに基づいて、前記共有無線周波数スペクトル上での前記第２のワイヤレスデバイスによる送信のための開始シンボル期間を複数の可能なシンボル期間の中で決定するための手段と、
前記決定された開始シンボル期間に基づいて、前記共有無線周波数スペクトル上での前記第２のワイヤレスデバイスによる前記送信を受信するための手段と
を備える、第１のワイヤレスデバイス。
【請求項９】
第２のワイヤレスデバイスによって実行されるワイヤレス通信の方法であって、
共有無線周波数スペクトルへのアクセスを取得することと、
第１のワイヤレスデバイスに、およびサブフレームの所定のシンボル期間中で、前記第２のワイヤレスデバイスが前記共有無線周波数スペクトルへのアクセスを取得したという指示を送信することと、ここにおいて、前記指示が、前記第１のワイヤレスデバイスへの送信の開始シンボルを備える、複数の可能なシンボル期間の中の開始シンボル期間を伝達する、
前記示された開始シンボルに従って、前記共有無線周波数スペクトル上での前記第１のワイヤレスデバイスへの前記送信を開始することと
を備える、方法。
【請求項１０】
前記第１のワイヤレスデバイスへの前記送信が物理ダウンリンク制御チャネル（ＰＤＣＣＨ）を備え、前記方法が、
前記開始シンボル期間に基づいて、前記ＰＤＣＣＨのための送信電力を調整すること
をさらに備える、請求項９に記載の方法。
【請求項１１】
前記共有無線周波数スペクトルへのアクセスが取得されたという前記指示を送信する前に、前記第１のワイヤレスデバイスへの前記送信を開始すること
をさらに備える、請求項９に記載の方法。
【請求項１２】
前記シンボル期間が、前記第１のワイヤレスデバイスへの前記送信の前記開始シンボルを備える、請求項９に記載の方法。
【請求項１３】
前記開始シンボル期間に基づいて、基準信号を送信するために使用すべき少なくとも１つのシンボル期間、前記基準信号または制御チャネルを送信するために使用すべき前記共有無線周波数スペクトルの少なくとも１つのリソース要素、前記第１のワイヤレスデバイスへの前記送信のためのリソース要素アグリゲーションレベル、前記第１のワイヤレスデバイスへの前記送信のためのトランスポートブロックスケーリング、前記第１のワイヤレスデバイスへの送信のためのチャネル使用ビーコン信号（ＣＵＢＳ）の持続時間、前記ＣＵＢＳのコンテンツ、あるいは次のサブフレーム境界の前のシンボルの数のうちの少なくとも１つを決定すること
をさらに備える、請求項９に記載の方法。
【請求項１４】
前記第１のワイヤレスデバイスへの前記送信を、無線フレームの１サブフレーム超に及ぶ仮想サブフレームにマッピングすること
をさらに備える、請求項９に記載の方法。
【請求項１５】
ワイヤレス通信のための第２のワイヤレスデバイスであって、
共有無線周波数スペクトルへのアクセスを取得するための手段と、
第１のワイヤレスデバイスに、およびサブフレームの所定のシンボル期間中で、前記第２のワイヤレスデバイスが前記共有無線周波数スペクトルへのアクセスを取得したという指示を送信するための手段と、ここにおいて、前記指示が、前記第１のワイヤレスデバイスへの送信の開始シンボルを備える、複数の可能なシンボル期間の中の開始シンボル期間を伝達する、
前記示された開始シンボルに従って、前記共有無線周波数スペクトル上での前記第１のワイヤレスデバイスへの前記送信を開始するための手段と
を備える、第２のワイヤレスデバイス。
【発明の詳細な説明】
【技術分野】
【０００１】
相互参照
[0001]本特許出願は、各々が本出願の譲受人に譲渡された、２０１５年１２月１６日に出願された、「Techniques for Determining a Symbol Period for a Starting Symbol of a Transmission in a Shared Radio Frequency Spectrum」と題する、Ｃｈｅｎらによる米国特許出願第１４／９７１，０８２号、および２０１４年１２月２３日に出願された、「Techniques for Determining a Symbol Period for a Starting Symbol of a Transmission in a Shared Radio Frequency Spectrum」と題する、Ｃｈｅｎらによる米国仮特許出願第６２／０９６，２４９号の優先権を主張する。
【０００２】
[0002]本開示は、たとえば、ワイヤレス通信システムに関し、より詳細には、共有無線周波数スペクトルにおける送信の開始シンボルのためのシンボル期間を決定するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがあり得る。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかの通信モードは、セルラーネットワークの共有無線周波数スペクトル上での、または異なる無線周波数スペクトル（たとえば、専用無線周波数スペクトルおよび共有無線周波数スペクトル）上での基地局とＵＥとの間の通信を可能にし得る。専用（たとえば、認可）無線周波数スペクトルを使用するセルラーネットワークにおけるデータトラフィックの増加とともに、少なくとも一部の（some）データトラフィックの、共有無線周波数スペクトルへのオフローディングは、セルラー事業者に拡張データ送信容量のための機会を与え得る。共有無線周波数スペクトルはまた、専用無線周波数スペクトルへのアクセスが利用不可能であるエリア中でサービスを与え得る。
【０００６】
[0006]共有無線周波数スペクトルへのアクセスを獲得し、共有無線周波数スペクトル上で通信するより前に、基地局またはＵＥは、共有無線周波数スペクトルへのアクセスを求めて競合するために、リッスンビフォアトーク（ＬＢＴ：listen before talk）プロシージャを実行し得る。ＬＢＴプロシージャは、共有無線周波数スペクトルのチャネルが利用可能であるかどうかを決定するために、クリアチャネルアセスメント（ＣＣＡ：clear channel assessment）プロシージャを実行することを含み得る。共有無線周波数スペクトルのチャネルが利用可能であると決定されたとき、基地局またはＵＥは、チャネルを予約するために、チャネル上で１つまたは複数のチャネル予約信号（たとえば、１つまたは複数のチャネル使用ビーコン信号（ＣＵＢＳ：channel usage beacon signal））を送信し得る。（１つまたは複数の）チャネル予約信号は、データまたは制御送信がチャネル上でそのときに行われ得る次のサブフレーム境界まで、チャネル上で送信され得る。
【発明の概要】
【０００７】
[0007]本開示は、たとえば、共有無線周波数スペクトルにおける送信の開始シンボルのためのシンボル期間を決定するための１つまたは複数の技法に関する。上記で説明したように、共有無線周波数スペクトルへのアクセスを求める競合に勝つと、１つまたは複数のチャネル予約信号は、チャネルへのアクセスを求める競合に勝った（is won）時間と、次のサブフレーム境界との間にチャネル上で送信され得る。データまたは制御送信は、次のサブフレーム境界において開始し得る。しかしながら、１つまたは複数のチャネル予約信号が、より短い持続時間（duration）の間チャネル上で送信されるか、またはまったく送信されない場合、いくつかのシナリオの下で、伝送効率が改善され得る。データまたは制御送信は、次いで、共有無線周波数スペクトルへのアクセスを求める競合に勝ったサブフレームのシンボル期間中に開始し得る。受信装置が、データまたは制御送信の開始シンボルについて（for）サブフレームの各シンボル期間を監視することが非効率的であり得るので、あるいはいくつかの（certain）シンボル期間中に開始シンボルを送信することが望ましくないことがあるので、あるいは他の理由のために、送信装置が共有無線周波数スペクトルへのアクセスを取得したという指示を送信装置が受信装置に送信することが有用であり得る。指示は、サブフレームの所定のシンボル期間中に、またはサブフレームの複数の所定のシンボル期間のうちの１つ中で送信され得、データまたは制御送信の開始シンボルを含むシンボル期間を伝達し得る。いくつかの場合には、所定のシンボル期間は、無線リソース制御（ＲＲＣ）メッセージによって受信装置にシグナリングされ得る。
【０００８】
[0008]例示的な例の第１のセットでは、ワイヤレス通信の方法について説明する。一構成では、本方法は、第１のワイヤレスデバイスによって、第２のワイヤレスデバイスが共有無線周波数スペクトルへのアクセスを取得したという指示について、サブフレームの少なくとも１つの所定のシンボル期間を監視することと、指示を検出したことに基づいて、共有無線周波数スペクトル上での第２のワイヤレスデバイスによる送信のための開始シンボルを決定することと、決定された開始シンボルに基づいて、共有無線周波数スペクトル上での第２のワイヤレスデバイスによる送信を受信することとを含み得る。いくつかの場合には、少なくとも１つの所定のシンボル期間は、ＲＲＣメッセージによって第１のワイヤレスデバイスにシグナリングされ得る。
【０００９】
[0009]いくつかの例では、本方法は、送信のための開始シンボルを決定するより前に、送信の少なくとも一部分を含む信号をバッファすることを含み得る。いくつかの例では、本方法は、開始シンボルの後に送信されたシンボル中で、第２のワイヤレスデバイスが共有無線周波数スペクトルへのアクセスを取得したという指示を検出することを含み得る。本方法のいくつかの例では、監視することは、複数の所定のシンボル期間を監視することを含み得、本方法は、複数の所定のシンボル期間のうちの１つ中で、第２のワイヤレスデバイスが共有無線周波数スペクトルへのアクセスを取得したという指示を検出することをさらに含み得る。いくつかの例では、本方法は、少なくとも１つの所定のシンボル期間のうちの１つ中で、第２のワイヤレスデバイスが共有無線周波数スペクトルへのアクセスを取得したという指示を検出することを含み得、開始シンボルを決定することは、第２のワイヤレスデバイスが共有無線周波数スペクトルへのアクセスを取得したという指示が検出された（is detected）シンボル期間を占有するシンボルとして、開始シンボルを識別することを含み得る。
【００１０】
[0010]いくつかの例では、本方法は、サブフレームを含む無線フレームの持続時間に基づいて、サブフレームの少なくとも１つの所定のシンボル期間を識別することを含み得る。いくつかの例では、本方法は、開始シンボルを含むシンボル期間に基づいて、基準信号を監視するための少なくとも１つのシンボル期間、基準信号または制御チャネルを監視するための共有無線周波数スペクトルの少なくとも１つのリソース要素、第２のワイヤレスデバイスによる送信を受信するためのリソース要素アグリゲーションレベル、第２のワイヤレスデバイスによる送信を受信するためのトランスポートブロックスケーリング、第２のワイヤレスデバイスによって送信されるチャネル使用ビーコン信号（ＣＵＢＳ）の持続時間、ＣＵＢＳのコンテンツ、あるいは次のサブフレーム境界の前のシンボルの数、のうちの少なくとも１つを決定することを含み得る。いくつかの場合には、所定のシンボル期間は、１つまたは複数のＲＲＣメッセージによって第１のデバイスにシグナリングされ得る。
【００１１】
[0011]いくつかの例では、本方法は、第２のワイヤレスデバイスによる送信の、無線フレームの１サブフレーム超に及ぶ（spanning more than）仮想サブフレームへのマッピングを決定することを含み得る。これらの例では、第２のワイヤレスデバイスによる送信を受信することは、無線フレームの１サブフレーム超にわたる送信を受信することを含み得る。いくつかの例では、本方法は、第２のワイヤレスデバイスによる送信の一部として基準信号を受信することを含み得、基準信号を受信することのタイミングが、無線フレームのサブフレームのフォーマットによって決定され得る。
【００１２】
[0012]例示的な例の第２のセットでは、ワイヤレス通信のための装置について説明する。一構成では、本装置は、第１のワイヤレスデバイスによって、第２のワイヤレスデバイスが共有無線周波数スペクトルへのアクセスを取得したという指示について、サブフレームの少なくとも１つの所定のシンボル期間を監視するための手段と、指示を検出したことに基づいて、共有無線周波数スペクトル上での第２のワイヤレスデバイスによる送信のための開始シンボルを決定するための手段と、決定された開始シンボルに基づいて、共有無線周波数スペクトル上での第２のワイヤレスデバイスによる送信を受信するための手段とを含み得る。
【００１３】
[0013]例示的な例の第３のセットでは、ワイヤレス通信のための別の装置について説明する。一構成では、本装置は、プロセッサと、プロセッサと電子通信しているメモリと、メモリに記憶された命令とを含み得る。命令は、第１のワイヤレスデバイスによって、第２のワイヤレスデバイスが共有無線周波数スペクトルへのアクセスを取得したという指示について、サブフレームの少なくとも１つの所定のシンボル期間を監視することと、指示を検出したことに基づいて、共有無線周波数スペクトル上での第２のワイヤレスデバイスによる送信のための開始シンボルを決定することと、決定された開始シンボルに基づいて、共有無線周波数スペクトル上での第２のワイヤレスデバイスによる送信を受信することとを行うためにプロセッサによって実行可能であり得る。
【００１４】
[0014]例示的な例の第４のセットでは、プロセッサによって実行可能な命令を記憶するためのコンピュータ可読媒体について説明する。一構成では、命令は、第１のワイヤレスデバイスによって、第２のワイヤレスデバイスが共有無線周波数スペクトルへのアクセスを取得したという指示について、サブフレームの少なくとも１つの所定のシンボル期間を監視するための命令と、指示を検出したことに基づいて、共有無線周波数スペクトル上での第２のワイヤレスデバイスによる送信のための開始シンボルを決定するための命令と、決定された開始シンボルに基づいて、共有無線周波数スペクトル上での第２のワイヤレスデバイスによる送信を受信するための命令とを含み得る。いくつかの場合には、所定のシンボル期間は、ＲＲＣシグナリングによって第１のワイヤレスデバイスにシグナリングされ得る。
【００１５】
[0015]例示的な例の第５のセットでは、ワイヤレス通信の別の方法について説明する。一構成では、本方法は、第２のワイヤレスデバイスにおいて共有無線周波数スペクトルへのアクセスを取得することと、第１のワイヤレスデバイスに、およびサブフレームの所定のシンボル期間中で、第２のワイヤレスデバイスが共有無線周波数スペクトルへのアクセスを取得したという指示を送信することと、ここにおいて、指示が、第２のワイヤレスデバイスによる第１のワイヤレスデバイスへの送信の開始シンボルを含むシンボル期間を伝達する、示された開始シンボルに従って、共有無線周波数スペクトル上での第１のワイヤレスデバイスへの送信を開始することとを含み得る。
【００１６】
[0016]本方法のいくつかの例では、第１のワイヤレスデバイスへの送信は物理ダウンリンク制御チャネル（ＰＤＣＣＨ）を含み、本方法は、開始シンボルを含むシンボル期間に基づいて、ＰＤＣＣＨのための送信電力を調整することをさらに含み得る。いくつかの例では、本方法は、第２のワイヤレスデバイスが共有無線周波数スペクトルへのアクセスを取得したという指示を送信する前に、第１のワイヤレスデバイスへの送信を開始することを含み得る。本方法のいくつかの例では、所定のシンボル期間は、第１のワイヤレスデバイスへの送信の開始シンボルを含む。いくつかの例では、本方法は、送信を含む無線フレームの持続時間に基づいて、所定のシンボル期間を選択することを含み得る。
【００１７】
[0017]いくつかの例では、本方法は、開始シンボルを含むシンボル期間に基づいて、基準信号を送信するために使用すべき少なくとも１つのシンボル期間、基準信号または制御チャネルを送信するために使用すべき共有無線周波数スペクトルの少なくとも１つのリソース要素、第１のワイヤレスデバイスへの送信のためのリソース要素アグリゲーションレベル、第１のワイヤレスデバイスへの送信のためのトランスポートブロックスケーリング、第１のワイヤレスデバイスへの送信のためのＣＵＢＳの持続時間、ＣＵＢＳのコンテンツ、あるいは次のサブフレーム境界の前のシンボルの数のうちの少なくとも１つを決定することを含み得る。いくつかの例では、本方法は、第１のワイヤレスデバイスへの送信を、無線フレームの１サブフレーム超に及ぶ仮想サブフレームにマッピングすることを含み得る。いくつかの例では、本方法は、第１のワイヤレスデバイスに仮想サブフレームを送信することを含み得、仮想サブフレームは、無線フレームのサブフレームのフォーマットによって決定されるタイミングを有する基準信号を含む。
【００１８】
[0018]例示的な例の第６のセットでは、ワイヤレス通信のための別の装置について説明する。一構成では、本装置は、第２のワイヤレスデバイスにおいて共有無線周波数スペクトルへのアクセスを取得するための手段と、第１のワイヤレスデバイスに、およびサブフレームの所定のシンボル期間中で、第２のワイヤレスデバイスが共有無線周波数スペクトルへのアクセスを取得したという指示を送信するための手段と、ここにおいて、指示が、第２のワイヤレスデバイスによる第１のワイヤレスデバイスへの送信の開始シンボルを含むシンボル期間を伝達する、示された開始シンボルに従って、共有無線周波数スペクトル上での第１のワイヤレスデバイスへの送信を開始するための手段とを含み得る。
【００１９】
[0019]例示的な例の第７のセットでは、ワイヤレス通信のための別の装置について説明する。一構成では、本装置は、プロセッサと、プロセッサと電子通信しているメモリと、メモリに記憶された命令とを含み得る。命令は、第２のワイヤレスデバイスにおいて共有無線周波数スペクトルへのアクセスを取得することと、第１のワイヤレスデバイスに、およびサブフレームの所定のシンボル期間中で、第２のワイヤレスデバイスが共有無線周波数スペクトルへのアクセスを取得したという指示を送信することと、ここにおいて、指示が、第２のワイヤレスデバイスによる第１のワイヤレスデバイスへの送信の開始シンボルを含むシンボル期間を伝達する、示された開始シンボルに従って、共有無線周波数スペクトル上での第１のワイヤレスデバイスへの送信を開始することとを行うためにプロセッサによって実行可能であり得る。場合によっては、所定のシンボル期間は、ＲＲＣメッセージによって第１のデバイスにシグナリングされ得る。
【００２０】
[0020]例示的な例の第８のセットでは、プロセッサによって実行可能な命令を記憶するための別のコンピュータ可読媒体について説明する。一構成では、命令は、第２のワイヤレスデバイスにおいて共有無線周波数スペクトルへのアクセスを取得するための命令と、第１のワイヤレスデバイスに、およびサブフレームの所定のシンボル期間中で、第２のワイヤレスデバイスが共有無線周波数スペクトルへのアクセスを取得したという指示を送信するための命令と、ここにおいて、指示が、第２のワイヤレスデバイスによる第１のワイヤレスデバイスへの送信の開始シンボルを含むシンボル期間を伝達する、示された開始シンボルに従って、共有無線周波数スペクトル上での第１のワイヤレスデバイスへの送信を開始するための命令とを含み得る。場合によっては、所定のシンボル期間は、ＲＲＣメッセージによって第１のワイヤレスデバイスに送信され得る。
【００２１】
[0021]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２２】
[0022]以下の図面を参照すれば、本発明の性質および利点のさらなる理解が得られ得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００２３】
【図１】[0023]本開示の様々な態様による、ワイヤレス通信システムの一例を示す図。
【図２】[0024]本開示の様々な態様による、ＬＴＥ（登録商標）／ＬＴＥ−Ａが、共有無線周波数スペクトルを使用して異なるシナリオの下で展開され得るワイヤレス通信システムを示す図。
【図３】[0025]本開示の様々な態様による、共有無線周波数スペクトル上でのワイヤレス通信の一例を示す図。
【図４Ａ】[0026]本開示の様々な態様による、無認可無線周波数スペクトル帯域へのアクセスを求めて競合するときに送信装置によって実行されるＣＣＡプロシージャの一例を示す図。
【図４Ｂ】[0027]本開示の様々な態様による、無認可無線周波数スペクトル帯域へのアクセスを求めて競合するときに送信装置によって実行される拡張ＣＣＡ（ＥＣＣＡ：extended CCA）プロシージャの一例を示す図。
【図５】[0028]本開示の様々な態様による、ダウンリンク送信（たとえば、ＰＤＳＣＨまたはＥＰＤＣＣＨ）の開始シンボルがサブフレーム中に送信または受信され得る例示的なシンボル期間を示す図。
【図６】[0029]本開示の様々な態様による、ダウンリンク送信（たとえば、ＰＤＳＣＨまたはＥＰＤＣＣＨ）の開始シンボルがサブフレーム中に送信または受信され得る例示的なシンボル期間を示す図。
【図７】[0030]本開示の様々な態様による、ＤＭ−ＲＳが第１のサブフレームまたは第２のサブフレーム中に送信または受信され得る例示的なシンボル期間を示す図。
【図８】[0031]本開示の様々な態様による、アップリンク送信（たとえば、ＰＵＳＣＨまたはＰＵＣＣＨ）の開始シンボルがサブフレーム８００中に送信または受信され得る例示的なシンボル期間を示す図。
【図９】[0032]本開示の様々な態様による、送信の、１つまたは複数の仮想サブフレームへの例示的なマッピングを示す図。
【図１０】[0033]本開示の様々な態様による、ワイヤレス通信において使用するための装置のブロック図。
【図１１】[0034]本開示の様々な態様による、ワイヤレス通信において使用するための装置のブロック図。
【図１２】[0035]本開示の様々な態様による、ワイヤレス通信において使用するための装置のブロック図。
【図１３】[0036]本開示の様々な態様による、ワイヤレス通信において使用するための装置のブロック図。
【図１４】[0037]本開示の様々な態様による、ワイヤレス通信において使用するための装置のブロック図。
【図１５】[0038]本開示の様々な態様による、ワイヤレス通信において使用するための装置のブロック図。
【図１６】[0039]本開示の様々な態様による、ワイヤレス通信において使用するためのＵＥのブロック図。
【図１７】[0040]本開示の様々な態様による、ワイヤレス通信において使用するための基地局（たとえば、ｅＮＢの一部または全部を形成する基地局）のブロック図。
【図１８】[0041]本開示の様々な態様による、ワイヤレス通信のための例示的な方法を示すフローチャート。
【図１９】[0042]本開示の様々な態様による、ワイヤレス通信のための例示的な方法を示すフローチャート。
【図２０】[0043]本開示の様々な態様による、ワイヤレス通信のための例示的な方法を示すフローチャート。
【図２１】[0044]本開示の様々な態様による、ワイヤレス通信のための例示的な方法を示すフローチャート。
【図２２】[0045]本開示の様々な態様による、ワイヤレス通信のための例示的な方法を示すフローチャート。
【図２３】[0046]本開示の様々な態様による、ワイヤレス通信のための例示的な方法を示すフローチャート。
【発明を実施するための形態】
【００２４】
[0047]共有無線周波数スペクトルがワイヤレス通信システム上での通信の少なくとも一部分のために使用される技法について説明する。いくつかの例では、共有無線周波数スペクトルはＬＴＥ／ＬＴＥ−Ａ通信のために使用され得る。共有無線周波数スペクトルは、専用無線周波数スペクトルと組み合わせて、またはそれとは無関係に使用され得る。専用無線周波数スペクトルは、ＬＴＥ／ＬＴＥ−Ａ通信のために使用可能な認可無線周波数スペクトルなど、無線周波数スペクトルが特定のユーザに認可されているので、送信装置がアクセスを求めて競合しないことがある、無線周波数スペクトルであり得る。共有無線周波数スペクトルは、デバイスがアクセスを求めて競合する必要があり得る、無線周波数スペクトル（たとえば、Ｗｉ−Ｆｉ（登録商標）使用など、無認可使用のために利用可能である無線周波数スペクトル、あるいは等しく共有されるかまたは優先度を付けられた様式（manner）で複数の事業者が使用するために利用可能である無線周波数スペクトル）であり得る。
【００２５】
[0048]専用無線周波数スペクトルを使用するセルラーネットワークにおけるデータトラフィックの増加とともに、少なくとも一部のデータトラフィックの、共有無線周波数スペクトルへのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者（operator））に拡張データ送信容量のための機会を与え得る。共有無線周波数スペクトルの使用はまた、専用無線周波数スペクトルへのアクセスが利用不可能であるエリア中でサービスを与え得る。上述のように、共有無線周波数スペクトル上で通信する前に、送信装置は、媒体へのアクセスを獲得する（gain）ためにＬＢＴプロシージャを実行し得る。そのようなＬＢＴプロシージャは、共有無線周波数スペクトルのチャネルが利用可能であるかどうかを決定するために、ＣＣＡプロシージャ（または拡張ＣＣＡプロシージャ）を実行することを含み得る。共有無線周波数スペクトルのチャネルが利用可能であると決定されたとき、ＣＵＢＳが、チャネルを予約するために送信され得る。チャネルが利用可能でないと決定されたとき、そのチャネルのためのＣＣＡプロシージャ（または拡張ＣＣＡプロシージャ）が、後で再び実行され得る。
【００２６】
[0049]共有無線周波数スペクトルのチャネルが利用可能であると決定されたとき、基地局またはＵＥは、チャネルを予約するために、チャネル上で１つまたは複数のチャネル予約信号（たとえば、１つまたは複数のチャネル使用ビーコン信号（ＣＵＢＳ））を送信し得る。いくつかの例では、（１つまたは複数の）チャネル予約信号は、データまたは制御送信がチャネル上でそのときに行われ得る次のサブフレーム境界まで、チャネル上で送信され得る。他の例では、（１つまたは複数の）チャネル予約信号は、より短い持続時間の間チャネル上で送信されるか、またはまったく送信されないことがある。データまたは制御送信は、次いで、共有無線周波数スペクトルへのアクセスを求める競合に勝ったサブフレームのシンボル期間中に開始し得る。受信装置が、データまたは制御送信の開始シンボルについてサブフレームの各シンボル期間を監視することが非効率的であり得るので、あるいはいくつかのシンボル期間中に開始シンボルを送信することが望ましくないことがあるので、あるいは他の理由のために、送信装置が共有無線周波数スペクトルへのアクセスを取得したという指示を送信装置が受信装置に送信することが有用であり得る。指示は、サブフレームの所定のシンボル期間中に、またはサブフレームの複数の所定のシンボル期間のうちの１つ中で送信され得、データまたは制御送信の開始シンボルを含むシンボル期間を伝達し得る。
【００２７】
[0050]以下の説明は、例を与えるものであり、特許請求の範囲に記載される範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２８】
[0051]図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２９】
[0052]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３０】
[0053]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３１】
[0054]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、専用、共有などの）無線周波数スペクトルにおいて動作し得る低電力基地局であり得る。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３２】
[0055]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００３３】
[0056]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、トランスポートチャネルへの論理チャネルの多重化と優先度処理とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３４】
[0057]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３５】
[0058]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。ダウンリンク送信は、たとえば、物理ダウンリンク共有チャネル（ＰＤＳＣＨ）、物理ダウンリンク制御チャネル（ＰＤＣＣＨ、たとえば、専用無線周波数スペクトル上での送信のためのもの）、または拡張ＰＤＣＣＨ（ＥＰＤＣＣＨ、たとえば、共有無線周波数スペクトル上での送信のためのもの）を含み得る。アップリンク送信は、たとえば、物理アップリンク共有チャネル（ＰＵＳＣＨ）または物理アップリンク制御チャネル（ＰＵＣＣＨ）を含み得る。
【００３６】
[0059]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００３７】
[0060]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３８】
[0061]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３９】
[0062]いくつかの例では、ワイヤレス通信システム１００は、専用無線周波数スペクトル（たとえば、ＬＴＥ／ＬＴＥ−Ａ通信のために使用可能な認可無線周波数スペクトルなど、無線周波数スペクトルが、特定の使用のために特定のユーザに認可されているので、送信装置がアクセスを求めて競合しないことがある、無線周波数スペクトル）または共有無線周波数スペクトル（たとえば、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル））上での動作をサポートし得る。
【００４０】
[0063]いくつかの例では、送信を行うために基地局１０５またはＵＥ１１５に使用され得る物理リソースブロック（ＰＲＢ：physical resource block）は、１２×１４＝１６８個のリソース要素（ＲＥ、たとえば、サブフレーム中の１４個のシンボル期間を乗算された１２個の周波数サブキャリア）を有し得る。基地局１０５がそのようなＰＲＢを使用して共有無線周波数スペクトル上でＥＰＤＣＣＨを送信するとき、ＥＰＤＣＣＨは、（たとえば、チャネルの、隣接しないおよび同時に送信されるＰＲＢ上で）インターリーブモードでチャネル上で送信され得、チャネルの周波数帯域幅の大部分を占有し得る。ＥＰＤＣＣＨはまた、サブフレームの利用可能なシンボル期間のすべてに及び得る。いくつかの例では、ＥＰＤＣＣＨは、拡張リソース要素グループ（ＥＲＥＧ：enhanced resource element group）と拡張制御チャネル要素（ＥＣＣＥ：enhanced control channel element）とを使用して送信され得る。ＥＲＥＧを定義するとき、復調基準信号（ＤＭ−ＲＳ）を送信するために使用されるリソース要素が除外され得、すべての他のリソース要素が含まれ得る。いくつかの例では、ＤＭ−ＲＳリソース要素の最大の存在が、ＥＲＥＧを定義するときに推定され（presumed）得る（たとえば、ノーマルサイクリックプレフィックス（ＣＰ）を有する送信のための２４個のＤＭ−ＲＳリソース要素、および拡張ＣＰを有する送信のための１６個のＤＭ−ＲＳリソース要素）。ノーマルＣＰを有する送信のための非ＤＭＲＳリソース要素の数は、したがって、１２×１４−２４＝１４４であり得、拡張ＣＰを有する送信のための非ＤＭＲＳリソース要素の数は、１２×１２−１６＝１２８であり得る。いくつかの例では、ＰＲＢは、サブフレームタイプ、ＣＰタイプ、ＰＲＢペアインデックス、サブフレームインデックスなどにかかわらず、１６個のＥＲＥＧに分割され得る。たとえば、ＰＲＢは、ノーマルＣＰを有する送信のための８つのＲＥ／ＥＲＥＧと、拡張ＣＰを有する送信のための８つのＲＥ／ＥＲＥＧとに分割され得る。ＥＲＥＧ対ＲＥマッピングは、ＥＲＥＧごとの利用可能なＲＥの数を等化する際に有益であり得る、サイクリック／連続および周波数第１−時間第２（frequency-first-time-second）様式に従い得る。
【００４１】
[0064]他の信号の存在により、ＥＰＤＣＣＨのために利用可能なＲＥの数は固定でないことがあり、ＰＲＢペア中の異なるＥＲＥＧについて異なることがある。いくつかの例では、ＥＣＣＥごとのＥＲＥＧの数は、４または８であり得る（たとえば、Ｎ＝４または８、Ｎ＝４の場合、ノーマルＣＰおよびノーマルサブフレーム長さ（またはＲＥの数／ＰＲＢペア（number of REs/PRB pair）が大きいとき、スペシャルサブフレーム構成３、４、または８、を有する送信のために、ＰＲＢペアごとの４つのＥＣＣＥに対応し、そうではなくＮ＝８の場合、ＰＲＢペアごとの２つのＥＣＣＥに対応する）。ＥＣＣＥは、ＥＲＥＧグルーピングに従って、および局所または分散ＥＰＤＣＣＨにかかわらず定義され得、４つのＥＲＥＧが定義され得る（たとえば、グループ＃０：ＥＲＥＧ｛０，４，８，１２｝、グループ＃１：ＥＲＥＧ｛１，５，９，１３｝、グループ＃２：ＥＲＥＧ｛２，６，１０，１４｝、およびグループ＃３：ＥＲＥＧ｛３，７，１１，１５｝）。
【００４２】
[0065]図２に、本開示の様々な態様による、ＬＴＥ／ＬＴＥ−Ａが、共有無線周波数スペクトルを使用して異なるシナリオの下で展開され得るワイヤレス通信システム２００を示す。より詳細には、図２は、ＬＴＥ／ＬＴＥ−Ａが共有無線周波数スペクトルを使用して展開される、（認可支援アクセスモードとも呼ばれる）補足ダウンリンクモードと、キャリアアグリゲーションモードと、スタンドアロンモードとの例を示している。ワイヤレス通信システム２００は、図１を参照しながら説明したワイヤレス通信システム１００の部分の一例であり得る。その上、第１の基地局２０５および第２の基地局２０５−ａは、図１を参照しながら説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であり得る。
【００４３】
[0066]ワイヤレス通信システム２００における補足ダウンリンクモード（たとえば、認可支援アクセスモード）の例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトルにおける周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトルにおける周波数Ｆ４に関連し得る。共有無線周波数スペクトルにおけるダウンリンクチャネル２２０および専用無線周波数スペクトルにおける第１の双方向リンク２２５は、同時に動作し得る。ダウンリンクチャネル２２０は第１の基地局２０５にダウンリンク容量オフロードを与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、専用無線周波数スペクトルを使用し、トラフィックまたはシグナリング輻輳の一部（some）を軽減する（relieve）必要がある、任意のサービスプロバイダ（たとえば、モバイルネットワーク事業者（ＭＮＯ））に関して発生し（occur）得る。
【００４４】
[0067]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトルにおける周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトルにおける周波数Ｆ２に関連し得る。第２の双方向リンク２３０は、第１の基地局２０５にダウンリンクおよびアップリンク容量オフロードを与え得る。上記で説明した補足ダウンリンク（たとえば、認可支援アクセスモード）のように、このシナリオは、専用無線周波数スペクトルを使用し、トラフィックまたはシグナリング輻輳の一部を軽減する必要がある、任意のサービスプロバイダ（たとえば、ＭＮＯ）に関して発生し得る。
【００４５】
[0068]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトルにおける周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトルにおける周波数Ｆ２に関連し得る。第４の双方向リンク２４０は、第１の基地局２０５にダウンリンクおよびアップリンク容量オフロードを与え得る。この例および上記で与えた例は説明の目的で提示され、容量オフロードのために、専用無線周波数スペクトルにおけるＬＴＥ／ＬＴＥ−Ａを組み合わせ、共有無線周波数スペクトルを使用する他の同様の動作モードまたは展開シナリオがあり得る。
【００４６】
[0069]上記で説明したように、共有無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ専用無線周波数スペクトルへのアクセス権利を有する旧来のＭＮＯである。これらのサービスプロバイダの場合、動作例は、専用無線周波数スペクトル上のＬＴＥ／ＬＴＥ−Ａ１次コンポーネントキャリア（ＰＣＣ）と共有無線周波数スペクトル上の少なくとも１つの２次コンポーネントキャリア（ＳＣＣ）とを使用するブートストラップモード（たとえば、補足ダウンリンク（たとえば、認可支援アクセス）、キャリアアグリゲーション）を含み得る。
【００４７】
[0070]キャリアアグリゲーションモードでは、データおよび制御は、たとえば、専用無線周波数スペクトルにおいて（たとえば、第１の双方向リンク２２５、第３の双方向リンク２３５、および第５の双方向リンク２４５を介して）通信され得るが、データは、たとえば、共有無線周波数スペクトルにおいて（たとえば、第２の双方向リンク２３０および第４の双方向リンク２４０を介して）通信され得る。共有無線周波数スペクトルを使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り（fall under）得る。
【００４８】
[0071]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトルにおける周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、専用無線周波数スペクトルへのアクセスを有しない、スタジアム所有者、ケーブル会社、イベント主催者、ホテル、企業、または大企業であり得る。
【００４９】
[0072]いくつかの例では、図１または図２を参照しながら説明した基地局１０５、２０５、または２０５−ａのうちの１つ、あるいは図１または図２を参照しながら説明したＵＥ１１５、２１５、２１５−ａ、２１５−ｂ、または２１５−ｃのうちの１つなどの送信装置は、共有無線周波数スペクトルのチャネルへの（たとえば、共有無線周波数スペクトルの物理チャネルへの）アクセスを獲得する（gain）ためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャなどの競合プロシージャ（たとえば、ＬＢＴプロシージャ）をいつ実行する必要があるかを示し得る。ＣＣＡプロシージャの結果は、共有無線周波数スペクトルのチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア」）であることをＣＣＡプロシージャが示すとき、送信装置は、ＬＢＴ無線フレームの一部または全部中に共有無線周波数スペクトルのチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００５０】
[0073]図３に、本開示の様々な態様による、共有無線周波数スペクトル上でのワイヤレス通信３１０の一例３００を示す。いくつかの例では、ワイヤレス通信３１０は、１つまたは複数のコンポーネントキャリアを含み得、その（１つまたは複数の）コンポーネントキャリアは、たとえば、図２を参照しながら説明した補足ダウンリンクモード（たとえば、認可支援アクセスモード）、キャリアアグリゲーションモード、またはスタンドアロンモードに従って行われる送信の一部として、送信され得る。
【００５１】
[0074]いくつかの例では、ワイヤレス通信３１０のＬＢＴ無線フレーム３１５は、１０ミリ秒の持続時間を有し、いくつかのダウンリンク（Ｄ）サブフレーム３２０と、いくつかのアップリンク（Ｕ）サブフレーム３２５と、２つのタイプのスペシャルサブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移を与え得るが、Ｓ’サブフレーム３３５は、アップリンクサブフレーム３２５とダウンリンクサブフレーム３２０との間の遷移、いくつかの例では、ＬＢＴ無線フレーム間の遷移を与え得る。
【００５２】
[0075]Ｓ’サブフレーム３３５中に、ダウンリンククリアチャネルアセスメント（ＤＣＣＡ：downlink clear channel assessment）プロシージャ３４５が、ある時間期間の間、ワイヤレス通信３１０が行われる共有無線周波数スペクトルのチャネルを予約するために、図１または図２を参照しながら説明した基地局１０５、２０５、または２０５−ａのうちの１つまたは複数など、１つまたは複数の基地局によって実行され得る。基地局による成功したＤＣＣＡプロシージャ３４５に続いて、基地局は、基地局がチャネルを予約したという指示を他の基地局または装置（たとえば、ＵＥ、Ｗｉ−Ｆｉアクセスポイントなど）に与えるために、チャネル使用ビーコン信号（ＣＵＢＳ）（たとえば、ダウンリンクＣＵＢＳ（Ｄ−ＣＵＢＳ３５０））を送信し得る。いくつかの例では、Ｄ−ＣＵＢＳ３５０は、複数のインターリーブリソースブロックを使用して送信され得る。このようにしてＤ−ＣＵＢＳ３５０を送信することは、Ｄ−ＣＵＢＳ３５０が、共有無線周波数スペクトルの利用可能な周波数帯域幅の少なくとも一定の割合を占有し、１つまたは複数の規制上の（regulatory）要件（たとえば、共有無線周波数スペクトル上での送信が利用可能な周波数帯域幅の少なくとも８０％を占有するという要件）を満たすことを可能にし得る。Ｄ−ＣＵＢＳ３５０は、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。ＤＣＣＡプロシージャ３４５が失敗したとき、Ｄ−ＣＵＢＳ３５０は送信されないことがある。
【００５３】
[0076]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間として、いくつかのＵＥによって使用され得る。Ｓ’サブフレーム３３５の第２の部分は、ＤＣＣＡプロシージャ３４５のために使用され得る。Ｓ’サブフレーム３３５の第３の部分は、ダウンリンクパイロットタイムスロット（ＤｗＰＴＳ：downlink pilot time slot）としてまたはＤ−ＣＵＢＳ３５０を送信するために、共有無線周波数スペクトルのチャネルへのアクセスを求める競合に成功した（successfully）１つまたは複数の基地局によって使用され得る。ノーマルＣＰを有する送信の場合、可能なＤｗＰＴＳ長さは、｛３，６，９，１０，１１，１２｝シンボル期間を含む。拡張ＣＰを有する送信の場合、可能なＤｗＰＴＳ長さは、｛３，５，８，９，１０｝シンボル期間を含む。
【００５４】
[0077]Ｓサブフレーム３３０中に、アップリンクＣＣＡ（ＵＣＣＡ）プロシージャ３６５が、ある時間期間の間、ワイヤレス通信３１０が行われるチャネルを予約するために、図１または図２を参照しながら上記で説明したＵＥ１１５、２１５、２１５−ａ、２１５−ｂ、または２１５−ｃのうちの１つまたは複数など、１つまたは複数のＵＥによって実行され得る。ＵＥによる成功したＵＣＣＡプロシージャ３６５に続いて、ＵＥは、ＵＥがチャネルを予約したという指示を他のＵＥまたは装置（たとえば、基地局、Ｗｉ−Ｆｉアクセスポイントなど）に与えるために、アップリンクＣＵＢＳ（Ｕ−ＣＵＢＳ３７０）を送信し得る。いくつかの例では、Ｕ−ＣＵＢＳ３７０は、複数のインターリーブリソースブロックを使用して送信され得る。このようにしてＵ−ＣＵＢＳ３７０を送信することは、Ｕ−ＣＵＢＳ３７０が、共有無線周波数スペクトルの利用可能な周波数帯域幅の少なくとも一定の割合を占有し、１つまたは複数の規制上の要件（たとえば、共有無線周波数スペクトル上での送信が利用可能な周波数帯域幅の少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。ＵＣＣＡプロシージャ３６５が失敗したとき、Ｕ−ＣＵＢＳ３７０は送信されないことがある。
【００５５】
[0078]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５として、いくつかの基地局によって使用され得る。Ｓサブフレーム３３０の第２の部分は、ガード期間（ＧＰ）３６０として使用され得る。Ｓサブフレーム３３０の第３の部分は、ＵＣＣＡプロシージャ３６５のために使用され得る。Ｓサブフレーム３３０の第４の部分は、アップリンクパイロットタイムスロット（ＵｐＰＴＳ：uplink pilot time slot）としてまたはＵ−ＣＵＢＳ３７０を送信するために、共有無線周波数スペクトルのチャネルへのアクセスを求める競合に成功した１つまたは複数のＵＥによって使用され得る。ノーマルＣＰまたは拡張ＣＰを有する送信の場合、可能なＵｐＰＴＳ長さは、１つまたは２つのシンボル期間を含む。
【００５６】
[0079]短縮されたＤ期間３５５のためのトランスポートブロックサイズ（ＴＢＳ）は、ファクタによって下方へスケーリングされ得る。たとえば、ＴＢＳスケーリングファクタは、６（たとえば、ノーマルＣＰを有する送信）または５（たとえば、拡張ＣＰを有する送信）のＤｗＰＴＳ長さについて０．３７５であり得る。ＤｗＰＴＳ長さが３である場合、ＰＤＳＣＨまたはＥＰＤＣＣＨは送信されないことがある。ＴＢＳスケーリングファクタは、他のスペシャルサブフレーム構成について０．７５であり得る。
【００５７】
[0080]いくつかの例では、ＤＣＣＡプロシージャ３４５またはＵＣＣＡプロシージャ３６５は、単一のＣＣＡプロシージャの実行を含み得る。他の例では、ＤＣＣＡプロシージャ３４５またはＵＣＣＡプロシージャ３６５は、拡張ＣＣＡプロシージャの実行を含み得る。拡張ＣＣＡプロシージャは、ランダムな数のＣＣＡプロシージャを含み得、いくつかの例では、複数のＣＣＡプロシージャを含み得る。したがって、ＤＣＣＡプロシージャおよびＵＣＣＡプロシージャという用語は、単一のＣＣＡプロシージャまたは拡張ＣＣＡプロシージャのいずれかの実行をカバーするのに十分広義であるものとする。ＬＢＴ無線フレーム中の基地局またはＵＥによる実行のための、単一のＣＣＡプロシージャまたは拡張ＣＣＡプロシージャの選択はＬＢＴルールに基づき得る。いくつかの場合には、ＣＣＡプロシージャという用語は、本開示では、単一のＣＣＡプロシージャまたは拡張ＣＣＡプロシージャのいずれかを指すために、一般的な意味で使用されることがある。
【００５８】
[0081]例として、ＬＢＴ無線フレーム３１５は、ＤＤＤＤＤＤＳＵＵＳ’ＴＤＤフレーム構造を有する。他の例では、ＬＢＴ無線フレームは異なるＴＤＤフレーム構造を有し得る。たとえば、ＬＢＴ無線フレームは、拡張干渉緩和およびトラフィック適応（ｅＩＭＴＡ：enhanced interference mitigation and traffic adaptation）において使用されるＴＤＤフレーム構造のうちの１つを有し得る。
【００５９】
[0082]図４Ａに、本開示の様々な態様による、無認可無線周波数スペクトル帯域へのアクセスを求めて競合するときに送信装置によって実行されるＣＣＡプロシージャ４１５の一例４００を示す。いくつかの例では、ＣＣＡプロシージャ４１５は、図３を参照しながら説明したＤＣＣＡプロシージャ３４５またはＵＣＣＡプロシージャ３６５の一例であり得る。ＣＣＡプロシージャ４１５は固定持続時間を有し得る。いくつかの例では、ＣＣＡプロシージャ４１５は、ＬＢＴフレームベース機器（ＬＢＴ−ＦＢＥ：LBT-frame based equipment）プロトコル（たとえば、ＥＮ３０１  ８９３によって記述されるＬＢＴ−ＦＢＥプロトコル）に従って実行され得る。ＣＣＡプロシージャ４１５に続いて、ＣＵＢＳ４２０が送信され、その後にデータ送信（たとえば、アップリンク送信またはダウンリンク送信）が続き得る。例として、データ送信は、３つのサブフレームの意図された持続時間４０５と、３つのサブフレームの実際の持続時間４１０とを有し得る。
【００６０】
[0083]図４Ｂに、本開示の様々な態様による、無認可無線周波数スペクトル帯域へのアクセスを求めて競合するときに送信装置によって実行される拡張ＣＣＡ（ＥＣＣＡ）プロシージャ４６５の一例４５０を示す。いくつかの例では、ＥＣＣＡプロシージャ４６５は、図３を参照しながら説明したＤＣＣＡプロシージャ３４５またはＵＣＣＡプロシージャ３６５の一例であり得る。ＥＣＣＡプロシージャ４６５は、ランダムな数のＣＣＡプロシージャを含み得、いくつかの例では、複数のＣＣＡプロシージャを含み得る。ＥＣＣＡプロシージャ４６５は、したがって可変持続時間を有し得る。いくつかの例では、ＥＣＣＡプロシージャ４６５は、ＬＢＴ負荷ベース機器（ＬＢＴ−ＬＢＥ：LBT-load based equipment）プロトコル（たとえば、ＥＮ３０１  ８９３によって記述されるＬＢＴ−ＬＢＥプロトコル）に従って実行され得る。ＥＣＣＡプロシージャ４６５は、無認可無線周波数スペクトル帯域にアクセスするための競合に勝つことのより大きい可能性を与えるが、より短いデータ送信という潜在的な犠牲（cost）を払い得る。ＥＣＣＡプロシージャ４６５に続いて、ＣＵＢＳ４７０が送信され、その後にデータ送信が続き得る。例として、データ送信は、３つのサブフレームの意図された持続時間４５５と、２つのサブフレームの実際の持続時間４６０とを有し得る。
【００６１】
[0084]いくつかの例では、共有無線周波数スペクトルへのアクセスを求める競合に勝った後に行われる送信の開始シンボルが、常に、次の完全なサブフレームの第１のシンボル期間中に送信され得、１つまたは複数のチャネル予約信号（たとえば、ＣＵＢＳまたはフラクショナルＣＵＢＳ）が、次の完全なサブフレームに先行するサブフレーム境界まで送信され得る。他の例では、共有無線周波数スペクトルへのアクセスを求める競合に勝った後に行われる送信の開始シンボルは、より早期のシンボル期間（たとえば、共有無線周波数スペクトルへのアクセスを求める競合に勝ったサブフレームのシンボル期間）中に送信され得、このことは、送信効率を増加させ得る。
【００６２】
[0085]図５に、本開示の様々な態様による、ダウンリンク送信（たとえば、ＰＤＳＣＨまたはＥＰＤＣＣＨ）の開始シンボルがサブフレーム５００中に送信または受信され得る例示的なシンボル期間を示す。いくつかの例では、サブフレーム５００は、図１または図２を参照しながら説明した基地局１０５、２０５、または２０５−ａのうちの１つまたは複数によって送信されるか、あるいは図１または図２を参照しながら説明したＵＥ１１５、２１５、２１５−ａ、２１５−ｂ、または２１５−ｃのうちの１つまたは複数によって受信され得る。いくつかの例では、サブフレーム５００は、第１のスロット５０５（たとえば、スロット０）と第２のスロット５１０（たとえば、スロット１）とを含み、各スロットは、０、１、２、３、４、５、および６の番号を付けられた７つのシンボル期間を含み得る。
【００６３】
[0086]図示の例では、ＰＤＳＣＨまたはＥＰＤＣＣＨの開始シンボルが送信され得るシンボル期間の総数は、ＬＴＥ／ＬＴＥ−Ａ  ＴＤＤサブフレームのための可能なＤｗＰＴＳ長さの数と同様であり得る。例として、ＰＤＳＣＨまたはＥＰＤＣＣＨの開始シンボルが送信され得る７つのシンボル期間（たとえば、第１のシンボル期間５１５、第２のシンボル期間５２０、第３のシンボル期間５２５、第４のシンボル期間５３０、第５のシンボル期間５３５、第６のシンボル期間５４０、および第７のシンボル期間５４５）が示されている。開始シンボルが送信され得る７つのシンボル期間は、スロット０のシンボル期間０、１、２、３、４、および５（たとえば、スロット０のノーマルＣＰ｛０，１，２，３，４，５｝を用いる送信の場合）と、スロット１のシンボル期間０（たとえば、スロット１のノーマルＣＰ｛０｝を用いる送信の場合）とを含む。スロット０のシンボル期間５および６中のＤＭ−ＲＳ符号分割多重化（ＣＤＭ）ペアを仮定すると、開始シンボルは、ＤＭ−ＲＳシンボル期間の時間領域ＣＤＭペアリングを壊さないように、スロット０のシンボル期間６中に送信されるべきでない。Ｄ−ＣＵＢＳの送信が必須（mandatory）である場合、このことは、Ｄ−ＣＵＢＳが、スロット０のシンボル期間６中にＰＤＳＣＨまたはＥＰＤＣＣＨの送信を開始することを回避するために、スロット０のシンボル期間５中に送信されるべきでないことを暗示する。
【００６４】
[0087]図５の例では、サブフレーム５００中であまりに遅くＰＤＳＣＨまたはＥＰＤＣＣＨのための開始シンボルを送信しないことも有用であり得る。言い換えれば、ＰＤＳＣＨまたはＥＰＤＣＣＨは、送信のための妥当な数のリソースがサブフレーム５００中で依然として利用可能でない限り、サブフレーム５００中で送信されるべきでない。この点について、第１のスロット５０５のシンボル期間中に開始シンボルを送信することが好ましいであろう。しかしながら、例として、図５は、開始シンボルを送信するための可能なシンボル期間として、第２のスロット５１０のシンボル期間０を示している（しかし、次のサブフレーム境界５５０の前のＰＤＳＣＨまたはＥＰＤＣＣＨの送信のために利用可能なリソースの数が少なくなるので、第２のスロット５１０のシンボル期間１、２、３、４、５、または６を示していない。いくつかの例では、第２のスロット５１０のシンボル期間１も、開始シンボルを送信するために考慮されることがあり、これは、第２のスロット５１０中の４シンボル送信を可能にすることになり、４シンボルＰＤＳＣＨまたはＥＰＤＣＣＨ送信が、（たとえば、２つがレガシー制御領域のためのものである６つのシンボル期間のＤｗＰＴＳ長さの下で）図３を参照しながら説明したＳ’サブフレームなどのスペシャルサブフレーム中で与えられるからである。
【００６５】
[0088]図６に、本開示の様々な態様による、ダウンリンク送信（たとえば、ＰＤＳＣＨまたはＥＰＤＣＣＨ）の開始シンボルがサブフレーム６００中に送信または受信され得る例示的なシンボル期間を示す。いくつかの例では、サブフレーム６００は、図１または図２を参照しながら説明した基地局１０５、２０５、または２０５−ａのうちの１つまたは複数によって送信されるか、あるいは図１または図２を参照しながら説明したＵＥ１１５、２１５、２１５−ａ、２１５−ｂ、または２１５−ｃのうちの１つまたは複数によって受信され得る。いくつかの例では、サブフレーム６００は、第１のスロット６０５（たとえば、スロット０）と第２のスロット６１０（たとえば、スロット１）とを含み、各スロットは、０、１、２、３、４、５、および６の番号を付けられた７つのシンボル期間を含み得る。
【００６６】
[0089]図示の例では、ＰＤＳＣＨまたはＥＰＤＣＣＨの開始シンボルが送信され得るシンボル期間の総数は、ＬＴＥ／ＬＴＥ−Ａ  ＴＤＤサブフレームのための可能なＤｗＰＴＳ長さの数と同様であり得る。例として、ＰＤＳＣＨまたはＥＰＤＣＣＨの開始シンボルが送信され得る６つのシンボル期間（たとえば、第１のシンボル期間６１５、第２のシンボル期間６２０、第３のシンボル期間６２５、第４のシンボル期間６３０、第５のシンボル期間６３５、および第６のシンボル期間６４０）が示されている。開始シンボルが送信され得る６つのシンボル期間は、スロット０のシンボル期間０、２、３、４、および５と、スロット１のシンボル期間０とを含む。開始シンボルが送信され得るシンボル期間は、スロット０のシンボル期間０中に送信される開始シンボルから開始する送信を除いて、各開始シンボルにおいて開始する送信のための残りのサブフレーム持続時間がＬＴＥ／ＬＴＥ−Ａ  ＤｗＰＴＳ長さ（たとえば｛６つ、９つ、１０個、１１個、または１２個のシンボル｝）を模倣するように定義される。ＤｗＰＴＳ長さが２シンボル期間制御領域を含み、不完全な（partial）サブフレーム中に行われる送信が制御領域を有しないことがあるので、｛６つ、９つ、１０個、１１個、または１２個のシンボル｝のＤｗＰＴＳ長さに対応する開始シンボルのうちの１つに続いて送信されるシンボルの数は、事実上｛４つ、７つ、８つ、９つ、または１０個のシンボル｝であり得る。
【００６７】
[0090]いくつかの例では、ＬＴＥ／ＬＴＥ−Ａ  ＤＭ−ＲＳパターン以外のＤＭ−ＲＳパターンが、共有無線周波数スペクトルにおける送信のために開発され得るか、またはＤＭ−ＲＳパターンが、送信の開始シンボルが送信されるシンボル期間に基づいて決定され得る。これらの例では、開始シンボル期間は、追加のまたは異なるシンボル期間（たとえば、図５または図６中の開始シンボルを送信するために識別されたシンボル期間に関する追加のまたは異なるシンボル期間）中で送信され得る。しかしながら、開始シンボルが送信されるシンボル期間は、依然として、複数のＤＭ−ＲＳシンボル期間の時間領域ＣＤＭペアリングを壊さないように選択され得る。
【００６８】
[0091]図５および図６の各々中で、Ｄ−ＣＵＢＳの送信は、共有無線周波数スペクトルへのアクセスを求める競合に勝ったシンボル期間に応じて、送信されることもされないこともある。たとえば、図５に示されているように、送信の開始シンボルが、シンボル期間６を除いてスロット０の任意のシンボル期間中で送信され得るとき、Ｄ−ＣＵＢＳの送信は、スロット１のシンボル期間６中に、あるいはスロット０のシンボル期間０、１、２、３、または４中で、共有無線周波数スペクトルへのアクセスを求める競合に勝ったときに必要でないことがある。さもなければ、Ｄ−ＣＵＢＳの送信は必要とされ得る。代替的に、Ｄ−ＣＵＢＳは、開始シンボルが送信されるシンボル期間にかかわらず送信され得る。しかしながら、Ｄ−ＣＵＢＳが別個のシンボル期間中に送信され、ＤＭ−ＲＳがスロット０のシンボル期間５および６中に送信されるとき、スロット０のシンボル期間５中に共有無線周波数スペクトルへのアクセスを求める競合に勝つと、Ｄ−ＣＵＢＳはスロット０のシンボル期間５および６中に送信され得、したがって、ＰＤＳＣＨまたはＥＰＤＣＣＨの開始シンボルは、（ＤＭ−ＲＳのＣＤＭ特性を壊すであろうスロット０のシンボル期間６中にではなく）スロット１のシンボル期間０中に送信され得る。
【００６９】
[0092]送信の開始シンボルが、異なるシンボル期間中に送信され得るとき、基地局が、共有無線周波数スペクトルへのアクセスを求める競合にいつ勝ったかに応じて、基地局は、ＵＥに、基地局が共有無線周波数スペクトルへのアクセスを得た（has won）という指示を送信し得る。指示は、ＵＥに送信の開始シンボルを含むシンボル期間をも伝達し得る。指示は、たとえば、Ｄ−ＣＵＢＳの一部として、または制御チャネル中で送信され得る。いくつかの例では、指示は、サブフレームのいくつかの所定のシンボル期間のうちの１つ中で送信され得る。たとえば、指示は、図５または図６中のスロット０のシンボル期間４またはスロット１のシンボル期間４のうちの１つ中で（たとえば、ノーマルＣＰ送信のためのＬＴＥ／ＬＴＥ−Ａセル固有基準信号（ＣＲＳ）を含んでいるシンボル期間中で）送信され得る。指示がＤ−ＣＵＢＳ中で送信されるとき、指示はＤ−ＣＵＢＳのＵＥの検出を簡略化し得る。指示が制御チャネル中で送信されるとき、指示は、専用制御チャネル中で送信され得るか、または共有制御チャネル中で他の送信と組み合わせられ得る（たとえば、指示は、サブフレームのためのＤＬ／ＵＬ構成の指示と組み合わせられ得る）。
【００７０】
[0093]ＵＥは、基地局が共有無線周波数スペクトルへのアクセスを得たという指示が送信され得る少なくとも１つの所定のシンボル期間を監視し得る。いくつかの場合には、所定の信号期間は、ＲＲＣシグナリングによってＵＥにシグナリングされ得る。いくつかの例では、指示は、送信の開始シンボルの後にＵＥに送信され得る。この可能性を仮定すれば、ＵＥは、送信の少なくとも一部分を含む信号をバッファし得、指示を検出し、送信の開始シンボルを決定すると、ＵＥは、バッファされた信号の少なくとも一部分を処理し得る。指示が、送信の前にまたは送信の始まりに送信されるとき、指示は、それが、ＵＥに、受信された送信を処理することを開始させ得るので、「因果的」シグナリングと考えられ得る。指示が送信の開始シンボルの後に送信されるとき、指示は、ＵＥが、送信の一部をすでに受信およびバッファしていることがあるので、「非因果的」シグナリングと考えられ得る。いくつかの例では、ＵＥは、ＵＥが、受信されたＬＴＥ／ＬＴＥ−Ａ制御領域をバッファし得る方法と同様に、送信を含んでいる信号をバッファし得る。
【００７１】
[0094]いくつかの例では、送信の開始シンボルが送信され得る（１つまたは複数の）所定のシンボル期間は、フレーム構造依存であり得る。たとえば、フレームが４ｍｓの持続時間を有する場合、開始シンボルが送信され得るサブフレームのシンボル期間は、１０ｍｓの持続時間を有するフレームのサブフレームの場合よりも細かい（finer）グラニュラリティを用いて割り振られ得る。さらなる例として、および４ｍｓフレーム構造の場合、開始シンボルを含むシンボル期間を伝達する指示は、開始シンボルがサブフレーム中に送信され得る８つの異なるシンボル期間のうちの１つを示すために、３ビットを含み得るが、１０ｍｓフレーム構造の場合、開始シンボルが送信され得るシンボル期間は、サブフレームの各スロットの第１のシンボル期間（たとえば、図５または図６中のスロット０のシンボル期間０およびスロット１のシンボル期間０）であり得る。いくつかの例では、フレーム構造依存である所定のシンボル期間中に送信される指示は、因果的信号であり、送信の開始シンボルを含み得る（たとえば、指示は、Ｄ−ＣＵＢＳまたは物理的フレームフォーマットインジケータチャネル（ＰＦＦＩＣＨ）中に含まれ得る）。いくつかの場合には、所定のシンボル期間は、ＲＲＣシグナリングによってＵＥにシグナリングされ得る。
【００７２】
[0095]図７に、本開示の様々な態様による、ＤＭ−ＲＳが第１のサブフレーム７００または第２のサブフレーム７０５中に送信または受信され得る例示的なシンボル期間を示す。いくつかの例では、第１のサブフレーム７００または第２のサブフレーム７０５は、図１または図２を参照しながら説明した基地局１０５、２０５、または２０５−ａのうちの１つまたは複数によって送信されるか、あるいは図１または図２を参照しながら説明したＵＥ１１５、２１５、２１５−ａ、２１５−ｂ、または２１５−ｃのうちの１つまたは複数によって受信され得る。いくつかの例では、第１のサブフレーム７００および第２のサブフレーム７０５の各々は、第１のスロット（たとえば、スロット０）と第２のスロット（たとえば、スロット１）とを含み得、各スロットは、０、１、２、３、４、５、および６の番号を付けられた７つのシンボル期間を含み得る。
【００７３】
[0096]いくつかの例では、ＤＭ−ＲＳの送信は、送信の開始シンボルが送信されるシンボル期間に依存し得る。たとえば、開始シンボルが、第１のサブフレーム７００において推定されるように、サブフレームの第１のスロット（たとえば、スロット０）のシンボル期間０、１、２、７００３、４、５、または６のうちの１つ中に送信されるとき、ＤＭ−ＲＳは、サブフレームの各スロット中に（たとえば、第１のサブフレーム７００の、スロット０のシンボル期間５および６中に、ならびにスロット１のシンボル期間５および６中に）送信され得る。開始シンボルが、第２のサブフレーム７０５で推定されるように、サブフレームの第２のスロット（たとえば、スロット１）のシンボル期間０中に送信されるとき、ＤＭ−ＲＳは、サブフレームの第２のスロット中に（たとえば、第２のサブフレーム７０５のスロット１のシンボル期間５および６中に）送信され得る。いくつかの例では、ＤＭ−ＲＳはまた、第２のサブフレーム７０５のスロット１のシンボル期間０および１中に送信され得る。
【００７４】
[0097]いくつかの例では、送信の開始シンボルが送信されるシンボル期間は、（たとえば、開始シンボルが送信されるシンボル期間が、送信を行うために利用可能であるサブフレーム中のシンボル期間の数を少なくとも部分的に決定するので）送信のためのリソース要素アグリゲーションレベルまたは送信のためのトランスポートブロックスケーリングなどのファクタを決定し得る。たとえば、ＥＰＤＣＣＨ  ＥＣＣＥ定義（たとえば、ＥＲＥＧの数／ＥＣＣＥ）またはＥＰＤＣＣＨリソース要素アグリゲーションレベルは、開始シンボルが送信されるシンボル期間に基づいて決定され得る。サブフレーム中の利用可能なシンボル期間の数が少ない（たとえば、１０または別のしきい値よりも少ない）とき、８つのＥＲＥＧ／ＥＣＣＥがＥＰＤＣＣＨの送信のために使用され得るか、または送信のアグリゲーションレベルが増加させられ得る。同じくまたは代替的に、サブフレーム中の利用可能なシンボル期間の数が少ないとき、より多数のリソースブロックがＥＰＤＣＣＨの送信のために使用され得る。ＰＤＳＣＨを送信するとき、ＰＤＳＣＨのための開始シンボルが送信されるシンボル期間に基づいて、ＰＤＳＣＨのためのトランスポートブロックスケーリングが実行され得る。いくつかの例では、規格化されたＬＴＥ／ＬＴＥ−Ａスケーリングファクタが使用され得る（たとえば、０．７５および０．３７５）。
【００７５】
[0098]図８に、本開示の様々な態様による、アップリンク送信（たとえば、ＰＵＳＣＨまたはＰＵＣＣＨ）の開始シンボルがサブフレーム８００中に送信または受信され得る例示的なシンボル期間を示す。いくつかの例では、サブフレーム８００は、図１または図２を参照しながら説明したＵＥ１１５、２１５、２１５−ａ、２１５−ｂ、または２１５−ｃのうちの１つまたは複数によって送信されるか、あるいは図１または図２を参照しながら説明した基地局１０５、２０５、または２０５−ａのうちの１つまたは複数によって受信され得る。いくつかの例では、サブフレーム８００は、第１のスロット８０５（たとえば、スロット０）と第２のスロット８１０（たとえば、スロット１）とを含み、各スロットは、０、１、２、３、４、５、および６の番号を付けられた７つのシンボル期間を含み得る。
【００７６】
[0099]いくつかの例では、開始シンボルが送信され得るシンボル期間は、各スロットの第１のシンボル期間（たとえば、第１のシンボル期間８１５および第２のシンボル期間８２０）である。
【００７７】
[0100]サブフレーム８００中にＰＵＣＣＨを送信するとき、ＰＵＣＣＨは、サブフレーム８００の一方または両方のスロットを占有し得、ＰＵＣＣＨが占有するシンボル期間は、開始シンボルが送信されるシンボル期間に少なくとも部分的に依存する。ＰＵＣＣＨが１つのスロット中で送信されるとき、ＰＵＣＣＨの送信電力は増加させられ（たとえば、３ｄＢだけ増加させられ）得る。
【００７８】
[0101]サブフレーム８００中にＰＵＳＣＨを送信するとき、ＰＵＳＣＨのためのトランスポートブロックスケーリングは、開始シンボルが送信されるシンボル期間に依存し得る。送信電力制御も、開始シンボルが送信されるシンボル期間に依存し得る（たとえば、開始シンボルがサブフレーム８００のスロット１中に送信されるとき、電力は３ｄＢだけ増加させられ得る）。
【００７９】
[0102]図９に、本開示の様々な態様による、送信の、１つまたは複数の仮想サブフレームへの例示的なマッピング９００を示す。いくつかの例では、１つまたは複数の仮想サブフレームは、図１または図２を参照しながら説明した基地局１０５、２０５、または２０５−ａのうちの１つまたは複数によって送信されるか、あるいは図１または図２を参照しながら説明したＵＥ１１５、２１５、２１５−ａ、２１５−ｂ、または２１５−ｃのうちの１つまたは複数によって受信され得る。
【００８０】
[0103]例として、図９は、無線フレームの３つのサブフレーム（たとえば、第１のサブフレーム９０５、第２のサブフレーム９１０、および第３のサブフレーム９１５）を示している。各サブフレームは、２つのスロット（たとえば、スロット０およびスロット１）を含み、各スロットは、０、１、２、３、４、５、および６の番号を付けられた７つのシンボル期間を含む。さらなる例として、図９は、第１のサブフレーム９０５のスロット０のシンボル期間３中で、共有無線周波数スペクトルへのアクセスを求める競合が基地局によって勝たれたと推定し、ＵＥへの送信（たとえば、ＰＤＳＣＨまたはＥＰＤＣＣＨ）が、第１のサブフレーム９０５のスロット０のシンボル期間４中で開始すると推定する。
【００８１】
[0104]いくつかの例では、ＵＥへの送信は、第１のサブフレーム９０５の一部分（たとえば、不完全な第１のサブフレーム９０５）、第２のサブフレーム９１０、および第３のサブフレーム９１５にマッピングされ得る。他の例では、ＵＥへの送信は、いくつかの仮想サブフレーム（たとえば、第１の仮想サブフレーム９２０、第２の仮想サブフレーム９２５、および不完全な第３の仮想サブフレーム９３０）にマッピングされ得る。仮想サブフレームは、第１のサブフレーム９０５のスロット０のシンボル期間３の前に生じるサブフレーム境界９２０に整合させられ得る。各完全な仮想サブフレーム（たとえば、第１の仮想サブフレーム９２０および第２の仮想サブフレーム９２５）は、無線フレームの１サブフレーム超（たとえば、第１のサブフレーム９０５、第２のサブフレーム９１０、または第３のサブフレーム９１５のうちのよりも多い）に及び得る。
【００８２】
[0105]ＰＤＳＣＨまたはＥＰＤＣＣＨなどの送信が、いくつかの仮想サブフレームにマッピングされるとき、仮想サブフレームのうちの１つまたは複数中に送信される（１つまたは複数の）基準信号は、無線フレームのサブフレーム（たとえば、第１のサブフレーム９０５、第２のサブフレーム９１０、または第３のサブフレーム９１５）のフォーマットによって決定されるタイミングを有し得る。たとえば、無線フレームのサブフレームに関する仮想サブフレームのオフセットタイミングにもかかわらず、１つまたは複数の基準信号（たとえば、ＣＲＳ）は、第１のサブフレーム９０５、第２のサブフレーム９１０、および第３のサブフレーム９１５のサブフレームタイミングに従って送信が行われているかのように選択されたシンボル期間中に送信され得る。仮想サブフレーム（たとえば、第１の仮想サブフレーム９２０、第２の仮想サブフレーム９２５、または不完全な第３の仮想サブフレーム９３０）のタイミングに基づいて、他の基準信号（たとえば、ＤＭ−ＲＳ）が送信され得る。
【００８３】
[0106]いくつかの例では、図９を参照しながら説明した仮想サブフレームマッピングは、無線フレームのサブフレームと、仮想サブフレームとの間のタイミングの差のために、図２を参照しながら説明したスタンドアロンモードの場合に使用され得るにすぎない。
【００８４】
[0107]図１０に、本開示の様々な態様による、ワイヤレス通信において使用するための装置１００５のブロック図１０００を示す。装置１０１５は、図１または図２を参照しながら説明したＵＥ１１５、２１５、２１５−ａ、２１５−ｂ、または２１５−ｃのうちの１つまたは複数の態様の一例であり得る。装置１０１５はまた、プロセッサであるか、またはプロセッサを含み得る。装置１０１５は、受信機モジュール１０１０、ワイヤレス通信管理モジュール１０２０、または送信機モジュール１０３０を含み得る。これらのモジュールの各々は互いと通信していることがある。
【００８５】
[0108]装置１０１５のモジュールは、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００８６】
[0109]いくつかの例では、受信機モジュール１０１０は、専用無線周波数スペクトルまたは共有無線周波数スペクトル上での送信を受信するように動作可能な少なくとも１つの無線周波数（ＲＦ）受信機など、少なくとも１つのＲＦ受信機を含み得る。専用無線周波数スペクトルは、送信装置がアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１または図２を参照しながら説明したように、ＬＴＥ／ＬＴＥ−Ａ通信のために使用され得る。受信機モジュール１０１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【００８７】
[0110]いくつかの例では、送信機モジュール１０３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１０３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトルまたは共有無線周波数スペクトル上で確立され得る。
【００８８】
[0111]いくつかの例では、ワイヤレス通信管理モジュール１０２０は、装置１０１５のためのワイヤレス通信の１つまたは複数の態様を管理するために使用され得る。いくつかの例では、ワイヤレス通信管理モジュール１０２０は、共有ＲＦスペクトル監視モジュール１０３５または送信受信管理モジュール１０４０を含み得る。
【００８９】
[0112]いくつかの例では、共有ＲＦスペクトル監視モジュール１０３５は、他のワイヤレスデバイス（たとえば、基地局）が共有無線周波数スペクトルへのアクセスを取得したという指示について、サブフレームの少なくとも１つの所定のシンボル期間を監視するために使用され得る。
【００９０】
[0113]送信受信管理モジュール１０４０は、他のワイヤレスデバイスからの送信の受信を管理し得、いくつかの例では、受信機モジュール１０１０の一部または全部を含み（または中に含まれ）得る。いくつかの例では、送信受信管理モジュール１０４０は送信開始シンボル決定モジュール１０４５を含み得る。送信開始シンボル決定モジュール１０４５は、指示を検出したことに基づいて、共有無線周波数スペクトル上での他のワイヤレスデバイスによる送信のための開始シンボルを決定するために使用され得、送信受信管理モジュール１０４０は、決定された開始シンボルに基づいて、共有無線周波数スペクトル上での他のワイヤレスデバイスによる送信を受信するために使用され得る。
【００９１】
[0114]いくつかの例では、ワイヤレス通信管理モジュール１０２０または送信受信管理モジュール１０４０は、開始シンボルを含むシンボル期間に基づいて、基準信号を監視するための少なくとも１つのシンボル期間、基準信号または制御チャネルを監視するための共有無線周波数スペクトルの少なくとも１つのリソース要素、第２のワイヤレスデバイスによる送信を受信するためのリソース要素アグリゲーションレベル、第２のワイヤレスデバイスによる送信を受信するためのトランスポートブロックスケーリング、第２のワイヤレスデバイスによって送信されるＣＵＢＳの持続時間、ＣＵＢＳのコンテンツ、あるいは次のサブフレーム境界の前のシンボルの数のうちの少なくとも１つを随意に決定し得る。
【００９２】
[0115]図１１に、本開示の様々な態様による、ワイヤレス通信において使用するための装置１１１５のブロック図１１００を示す。装置１１１５は、図１または図２を参照しながら説明したＵＥ１１５、２１５、２１５−ａ、２１５−ｂ、または２１５−ｃのうちの１つまたは複数の態様、あるいは図１０を参照しながら説明した装置１０１５の態様の一例であり得る。装置１１１５はまた、プロセッサであるか、またはプロセッサを含み得る。装置１１１５は、受信機モジュール１１１０、ワイヤレス通信管理モジュール１１２０、または送信機モジュール１１３０を含み得る。これらのモジュールの各々は互いと通信していることがある。
【００９３】
[0116]装置１１１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００９４】
[0117]いくつかの例では、受信機モジュール１１１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１または図２を参照しながら説明したように、ＬＴＥ／ＬＴＥ−Ａ通信のために使用され得る。受信機モジュール１１１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１１１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１１１４）の形態をとり得る。専用ＲＦスペクトルのためのＬＴＥ／ＬＴＥ−Ａ受信機モジュール１１１２または共有ＲＦスペクトルのためのＬＴＥ／ＬＴＥ−Ａ受信機モジュール１１１４を含む受信機モジュール１１１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【００９５】
[0118]いくつかの例では、送信機モジュール１１３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１１３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１１３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１１３４）の形態をとり得る。専用ＲＦスペクトルのためのＬＴＥ／ＬＴＥ−Ａ送信機モジュール１１３２または共有ＲＦスペクトルのためのＬＴＥ／ＬＴＥ−Ａ送信機モジュール１１３４を含む送信機モジュール１１３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【００９６】
[0119]いくつかの例では、ワイヤレス通信管理モジュール１１２０は、装置１１１５のためのワイヤレス通信の１つまたは複数の態様を管理するために使用され得る。いくつかの例では、ワイヤレス通信管理モジュール１１２０は、監視シンボル期間識別モジュール（monitored symbol period identification module）１１５０、共有ＲＦスペクトル監視モジュール１１３５または送信受信管理モジュール１１４０を含み得る。
【００９７】
[0120]いくつかの例では、監視シンボル期間識別モジュール１１５０は、他のワイヤレスデバイス（たとえば、基地局）が共有無線周波数スペクトルへのアクセスを取得したという指示を監視するためのサブフレームの少なくとも１つの所定のシンボル期間を識別するために使用され得る。いくつかの例では、少なくとも１つの所定のシンボル期間は、装置１１１５が関連付けられた事業者によって、静的にまたは半静的に構成され得る。いくつかの例では、少なくとも１つの所定のシンボル期間は、１つまたは複数の無線フレーム、無線フレームの１つまたは複数のサブフレーム、１つまたは複数の送信の間、あるいは少なくともオン所定のシンボル期間が変更されるまで、装置１１１５が関連付けられた事業者によって構成され得る。いくつかの例では、少なくとも１つの所定のシンボル期間は、監視されるべきサブフレームを含む無線フレームの持続時間に基づいて、（たとえば、監視シンボル期間識別モジュール１１５０によって）識別され得る。いくつかの例では、少なくとも１つの所定のシンボル期間は、ＲＲＣメッセージによってシグナリングされ得る。
【００９８】
[0121]いくつかの例では、共有ＲＦスペクトル監視モジュール１１３５は、他のワイヤレスデバイスが共有無線周波数スペクトルへのアクセスを取得したという指示について、サブフレームの少なくとも１つの所定のシンボル期間を監視するために使用され得る。
【００９９】
[0122]送信受信管理モジュール１１４０は、他のワイヤレスデバイスからの送信の受信を管理し得、いくつかの例では、共有ＲＦスペクトルのためのＬＴＥ／ＬＴＥ−Ａ受信機モジュール１１１４の一部または全部を含み（または中に含まれ）得る。いくつかの例では、送信受信管理モジュール１１４０は、バッファ管理モジュール１１５５、アクセス検出モジュール１１６０、または送信開始シンボル決定モジュール１１４５を含み得る。バッファ管理モジュール１１５５は、共有無線周波数スペクトル上での他のワイヤレスデバイスによる送信のための開始シンボルを決定するより前に、送信の少なくとも一部分を含む信号をバッファするために使用され得る。
【０１００】
[0123]アクセス検出モジュール１１６０は、他のワイヤレスデバイスが共有無線周波数スペクトルへのアクセスを取得したという指示を検出するために使用され得る。いくつかの例では、指示は、開始シンボルの後に送信されたシンボル中で検出され得る。
【０１０１】
[0124]送信開始シンボル決定モジュール１１４５は、指示を検出したことに基づいて、共有無線周波数スペクトル上での他のワイヤレスデバイスによる送信のための開始シンボルを決定するために使用され得、送信受信管理モジュール１１４０は、決定された開始シンボルに基づいて、他のワイヤレスデバイスによる送信を受信するために使用され得る。いくつかの例では、他のワイヤレスデバイスによる送信を受信することは、バッファ管理モジュール１１５５によってバッファされた信号の少なくとも一部分を処理することを含み得る。
【０１０２】
[0125]装置１１１５のいくつかの例では、複数の所定のシンボル期間が、監視シンボル期間識別モジュール１１５０によって識別され、共有ＲＦスペクトル監視モジュール１１３５によって監視され得る。これらの例では、指示は、所定のシンボル期間のうちの１つ中で、アクセス検出モジュール１１６０によって検出され得る。
【０１０３】
[0126]図１２に、本開示の様々な態様による、ワイヤレス通信において使用するための装置１２１５のブロック図１２００を示す。装置１２１５は、図１または図２を参照しながら説明したＵＥ１１５、２１５、２１５−ａ、２１５−ｂ、または２１５−ｃのうちの１つまたは複数の態様、あるいは図１０または図１１を参照しながら説明した装置１０１５または１１１５の態様の一例であり得る。装置１２１５はまた、プロセッサであるか、またはプロセッサを含み得る。装置１２１５は、受信機モジュール１２１０、ワイヤレス通信管理モジュール１２２０、または送信機モジュール１２３０を含み得る。これらのモジュールの各々は互いと通信していることがある。
【０１０４】
[0127]装置１２１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１０５】
[0128]いくつかの例では、受信機モジュール１２１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１または図２を参照しながら説明したように、ＬＴＥ／ＬＴＥ−Ａ通信のために使用され得る。受信機モジュール１２１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１２１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１２１４）の形態をとり得る。専用ＲＦスペクトルのためのＬＴＥ／ＬＴＥ−Ａ受信機モジュール１２１２または共有ＲＦスペクトルのためのＬＴＥ／ＬＴＥ−Ａ受信機モジュール１２１４を含む受信機モジュール１２１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１０６】
[0129]いくつかの例では、送信機モジュール１２３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１２３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１２３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１２３４）の形態をとり得る。専用ＲＦスペクトルのためのＬＴＥ／ＬＴＥ−Ａ送信機モジュール１２３２または共有ＲＦスペクトルのためのＬＴＥ／ＬＴＥ−Ａ送信機モジュール１２３４を含む送信機モジュール１２３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【０１０７】
[0130]いくつかの例では、ワイヤレス通信管理モジュール１２２０は、装置１２１５のためのワイヤレス通信の１つまたは複数の態様を管理するために使用され得る。いくつかの例では、ワイヤレス通信管理モジュール１２２０は、監視シンボル期間識別モジュール１２５０、共有ＲＦスペクトル監視モジュール１２３５または送信受信管理モジュール１２４０を含み得る。
【０１０８】
[0131]いくつかの例では、監視シンボル期間識別モジュール１２５０は、他のワイヤレスデバイス（たとえば、基地局）が共有無線周波数スペクトルへのアクセスを取得したという指示を監視するためのサブフレームの少なくとも１つの所定のシンボル期間を識別するために使用され得る。いくつかの例では、少なくとも１つの所定のシンボル期間は、装置１２１５が関連付けられた事業者によって、静的にまたは半静的に構成され得る。いくつかの例では、少なくとも１つの所定のシンボル期間は、１つまたは複数の無線フレーム、無線フレームの１つまたは複数のサブフレーム、１つまたは複数の送信の間、あるいは少なくともオン所定のシンボル期間が変更されるまで、装置１２１５が関連付けられた事業者によって構成され得る。いくつかの例では、少なくとも１つの所定のシンボル期間は、監視されるべきサブフレームを含む無線フレームの持続時間に基づいて、（たとえば、監視シンボル期間識別モジュール１２５０によって）識別され得る。
【０１０９】
[0132]いくつかの例では、共有ＲＦスペクトル監視モジュール１２３５は、他のワイヤレスデバイスが共有無線周波数スペクトルへのアクセスを取得したという指示について、サブフレームの少なくとも１つの所定のシンボル期間を監視するために使用され得る。いくつかの例では、指示は、共有無線周波数スペクトルに関するしきい値を上回るエネルギーを含み得る。
【０１１０】
[0133]送信受信管理モジュール１２４０は、他のワイヤレスデバイスからの送信の受信を管理し得、いくつかの例では、共有ＲＦスペクトルのためのＬＴＥ／ＬＴＥ−Ａ受信機モジュール１２１４の一部または全部を含み（または中に含まれ）得る。いくつかの例では、送信受信管理モジュール１２４０は、アクセス検出モジュール１２６０、または送信開始シンボル決定モジュール１２４５を含み得る。アクセス検出モジュール１２６０は、他のワイヤレスデバイスが共有無線周波数スペクトルへのアクセスを取得したという指示を検出するために使用され得る。指示は、少なくとも１つの所定のシンボル期間のうちの１つ中で検出され得る。
【０１１１】
[0134]送信開始シンボル決定モジュール１２４５は、指示を検出したことに基づいて、共有無線周波数スペクトル上での他のワイヤレスデバイスによる送信のための開始シンボルを決定するために使用され得る。いくつかの例では、開始シンボルを決定することは、他のワイヤレスデバイスが共有無線周波数スペクトルへのアクセスを取得したという指示が検出されたシンボル期間を占有するシンボルとして、開始シンボルを識別することを含み得る。送信受信管理モジュール１２４０は、決定された開始シンボルに基づいて、他のワイヤレスデバイスによる送信を受信するために使用され得る。
【０１１２】
[0135]装置１２１５のいくつかの例では、複数の所定のシンボル期間が、監視シンボル期間識別モジュール１２５０によって識別され、共有ＲＦスペクトル監視モジュール１２３５によって監視され得る。これらの例では、指示は、所定のシンボル期間のうちの１つ中で、アクセス検出モジュール１２６０によって検出され得る。
【０１１３】
[0136]図１３に、本開示の様々な態様による、ワイヤレス通信において使用するための装置１３１５のブロック図１３００を示す。装置１３１５は、図１または図２を参照しながら説明したＵＥ１１５、２１５、２１５−ａ、２１５−ｂ、または２１５−ｃのうちの１つまたは複数の態様、あるいは図１０、図１１、または図１２を参照しながら説明した装置１０１５、１１１５、または１２１５の態様の一例であり得る。装置１３１５はまた、プロセッサであるか、またはプロセッサを含み得る。装置１３１５は、受信機モジュール１３１０、ワイヤレス通信管理モジュール１３２０、または送信機モジュール１３３０を含み得る。これらのモジュールの各々は互いと通信していることがある。
【０１１４】
[0137]装置１３１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１１５】
[0138]いくつかの例では、受信機モジュール１３１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１または図２を参照しながら説明したように、ＬＴＥ／ＬＴＥ−Ａ通信のために使用され得る。受信機モジュール１３１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１３１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１３１４）の形態をとり得る。専用ＲＦスペクトルのためのＬＴＥ／ＬＴＥ−Ａ受信機モジュール１３１２または共有ＲＦスペクトルのためのＬＴＥ／ＬＴＥ−Ａ受信機モジュール１３１４を含む受信機モジュール１３１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１１６】
[0139]いくつかの例では、送信機モジュール１３３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１３３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１３３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１３３４）の形態をとり得る。専用ＲＦスペクトルのためのＬＴＥ／ＬＴＥ−Ａ送信機モジュール１３３２または共有ＲＦスペクトルのためのＬＴＥ／ＬＴＥ−Ａ送信機モジュール１３３４を含む送信機モジュール１３３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【０１１７】
[0140]いくつかの例では、ワイヤレス通信管理モジュール１３２０は、装置１３１５のためのワイヤレス通信の１つまたは複数の態様を管理するために使用され得る。いくつかの例では、ワイヤレス通信管理モジュール１３２０は、共有ＲＦスペクトル監視モジュール１３３５または送信受信管理モジュール１３４０を含み得る。
【０１１８】
[0141]いくつかの例では、共有ＲＦスペクトル監視モジュール１３３５は、他のワイヤレスデバイス（たとえば、基地局）が共有無線周波数スペクトルへのアクセスを取得したという指示について、サブフレームの少なくとも１つの所定のシンボル期間を監視するために使用され得る。
【０１１９】
[0142]送信受信管理モジュール１３４０は、他のワイヤレスデバイスからの送信の受信を管理し得、いくつかの例では、受信機モジュール１３１０の一部または全部を含み（または中に含まれ）得る。いくつかの例では、送信受信管理モジュール１３４０は、送信開始シンボル決定モジュール１３４５または仮想サブフレームマッピング決定モジュール１３５０を含み得る。送信開始シンボル決定モジュール１３４５は、指示を検出したことに基づいて、共有無線周波数スペクトル上での他のワイヤレスデバイスによる送信のための開始シンボルを決定するために使用され得る。仮想サブフレームマッピング決定モジュール１３５０は、他のワイヤレスデバイスによる送信の、無線フレームの１サブフレーム超に及ぶ仮想サブフレームへのマッピングを決定するために使用され得る。送信受信管理モジュール１３４０は、決定された開始シンボルに基づいて、共有無線周波数スペクトル上での他のワイヤレスデバイスによる送信を受信するために使用され得る。送信は、無線フレームの１サブフレーム超にわたって（すなわち、仮想サブフレームマッピング決定モジュール１３５０によって決定された、送信の、仮想サブフレームへのマッピングに従って）受信され得る。
【０１２０】
[0143]いくつかの例では、送信受信管理モジュール１３４０は、他のワイヤレスデバイスによる送信の一部として基準信号を受信するために使用され得、基準信号を受信することのタイミングが、無線フレームのサブフレームのフォーマットによって決定され得る。
【０１２１】
[0144]図１４に、本開示の様々な態様による、ワイヤレス通信において使用するための装置１４０５のブロック図１４００を示す。装置１４０５は、図１または図２を参照しながら説明した基地局１０５、２０５、または２０５−ａのうちの１つまたは複数の態様の一例であり得る。装置１４０５はまた、プロセッサであるか、またはプロセッサを含み得る。装置１４０５は、受信機モジュール１４１０、ワイヤレス通信管理モジュール１４２０、または送信機モジュール１４３０を含み得る。これらのモジュールの各々は互いと通信していることがある。
【０１２２】
[0145]装置１４０５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１２３】
[0146]いくつかの例では、受信機モジュール１４１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１または図２を参照しながら説明したように、ＬＴＥ／ＬＴＥ−Ａ通信のために使用され得る。受信機モジュール１４１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１２４】
[0147]いくつかの例では、送信機モジュール１４３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１４３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトルまたは共有無線周波数スペクトル上で確立され得る。
【０１２５】
[0148]いくつかの例では、ワイヤレス通信管理モジュール１４２０は、装置１４０５のためのワイヤレス通信の１つまたは複数の態様を管理するために使用され得る。いくつかの例では、ワイヤレス通信管理モジュール１４２０は、チャネル競合モジュール１４３５または送信管理モジュール１４４０を含み得る。
【０１２６】
[0149]いくつかの例では、チャネル競合モジュール１４３５は、共有無線周波数スペクトルへのアクセスを求めて競合し、共有無線周波数スペクトルへのアクセスを取得するために使用され得る。いくつかの例では、共有無線周波数スペクトルへのアクセスを求めて競合することは、ＣＣＡプロシージャを実行することを含み得、共有無線周波数スペクトルへのアクセスを取得することは、ＣＣＡプロシージャを正常に実行することを含み得る。
【０１２７】
[0150]送信管理モジュール１４４０は、他のワイヤレスデバイス（たとえば、ＵＥ）への送信を管理し得、いくつかの例では、送信機モジュール１４３０の一部または全部を含み（または中に含まれ）得る。いくつかの例では、送信管理モジュール１４４０は、アクセスおよび開始シンボル指示モジュール１４４５を含み得る。アクセスおよび開始シンボル指示モジュール１４４５は、他のワイヤレスデバイス（たとえば、ＵＥ）に、およびサブフレームの所定のシンボル期間中で、装置１４０５が共有無線周波数スペクトルへのアクセスを取得したという指示を送信するために使用され得る。指示は、装置１４０５による他のワイヤレスデバイスへの送信の開始シンボルを含むシンボル期間を伝達し得る。いくつかの例では、所定のシンボル期間は、他のワイヤレスデバイスへの送信の開始シンボルを含み得る。いくつかの例では、アクセスおよび開始シンボル指示モジュール１４４５は、送信を含む無線フレームの持続時間に基づいて、所定のシンボル期間を選択し得る。
【０１２８】
[0151]送信管理モジュール１４４０は、示された開始シンボルに従って、共有無線周波数スペクトル上での他のワイヤレスデバイスへの送信を開始し得る。いくつかの例では、送信管理モジュール１４４０は、第２のワイヤレスデバイスが共有無線周波数スペクトルへのアクセスを取得したという指示をアクセスおよび開始シンボル指示モジュール１４４５が送信する前に、他のワイヤレスデバイスへの送信を開始し得る。
【０１２９】
[0152]装置１４０５のいくつかの例では、他のワイヤレスデバイスへの送信はＰＤＣＣＨを含み得、送信管理モジュール１４４０は、開始シンボルを含むシンボル期間に基づいて、ＰＤＣＣＨのための送信電力を調整し得る。
【０１３０】
[0153]いくつかの例では、ワイヤレス通信管理モジュール１４２０または送信管理モジュール１４４０は、開始シンボルを含むシンボル期間に基づいて、基準信号を送信するために使用するための少なくとも１つのシンボル期間、基準信号または制御チャネルを送信するために使用するための共有無線周波数スペクトルの少なくとも１つのリソース要素、第１のワイヤレスデバイスへの送信のためのリソース要素アグリゲーションレベル、第１のワイヤレスデバイスへの送信のためのトランスポートブロックスケーリング、ＣＵＢＳの持続時間、ＣＵＢＳのコンテンツ、あるいは次のサブフレーム境界の前のシンボルの数のうちの少なくとも１つを随意に決定し得る。
【０１３１】
[0154]図１５に、本開示の様々な態様による、ワイヤレス通信において使用するための装置１５０５のブロック図１５００を示す。装置１５０５は、図１または図２を参照しながら説明した基地局１０５、２０５、または２０５−ａのうちの１つまたは複数の態様、あるいは図１４を参照しながら説明した装置１４０５の態様の一例であり得る。装置１５０５はまた、プロセッサであるか、またはプロセッサを含み得る。装置１５０５は、受信機モジュール１５１０、ワイヤレス通信管理モジュール１５２０、または送信機モジュール１５３０を含み得る。これらのモジュールの各々は互いと通信していることがある。
【０１３２】
[0155]装置１５０５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１３３】
[0156]いくつかの例では、受信機モジュール１５１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１または図２を参照しながら説明したように、ＬＴＥ／ＬＴＥ−Ａ通信のために使用され得る。受信機モジュール１５１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１５１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１５１４）の形態をとり得る。専用ＲＦスペクトルのためのＬＴＥ／ＬＴＥ−Ａ受信機モジュール１５１２または共有ＲＦスペクトルのためのＬＴＥ／ＬＴＥ−Ａ受信機モジュール１５１４を含む受信機モジュール１５１０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１３４】
[0157]いくつかの例では、送信機モジュール１５３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１５３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１５３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１５３４）の形態をとり得る。専用ＲＦスペクトルのためのＬＴＥ／ＬＴＥ−Ａ送信機モジュール１５３２または共有ＲＦスペクトルのためのＬＴＥ／ＬＴＥ−Ａ送信機モジュール１５３４を含む送信機モジュール１５３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【０１３５】
[0158]いくつかの例では、ワイヤレス通信管理モジュール１５２０は、装置１５０５のためのワイヤレス通信の１つまたは複数の態様を管理するために使用され得る。いくつかの例では、ワイヤレス通信管理モジュール１５２０は、チャネル競合モジュール１５３５または送信管理モジュール１５４０を含み得る。
【０１３６】
[0159]いくつかの例では、チャネル競合モジュール１５３５は、共有無線周波数スペクトルへのアクセスを求めて競合し、共有無線周波数スペクトルへのアクセスを取得するために使用され得る。いくつかの例では、共有無線周波数スペクトルへのアクセスを求めて競合することは、ＣＣＡプロシージャを実行することを含み得、共有無線周波数スペクトルへのアクセスを取得することは、ＣＣＡプロシージャを正常に実行することを含み得る。
【０１３７】
[0160]送信管理モジュール１５４０は、他のワイヤレスデバイス（たとえば、ＵＥ）への送信を管理し得、いくつかの例では、送信機モジュール１５３０の一部または全部を含み（または中に含まれ）得る。いくつかの例では、送信管理モジュール１５４０は、仮想サブフレームマッピングモジュール１５５０、またはアクセスおよび開始シンボル指示モジュール１５４５を含み得る。仮想サブフレームマッピングモジュール１５５０は、他のワイヤレスデバイス（たとえば、ＵＥ）への送信を、無線フレームの１サブフレーム超に及ぶ仮想サブフレームにマッピングするために使用され得る。アクセスおよび開始シンボル指示モジュール１５４５は、他のワイヤレスデバイス（たとえば、ＵＥ）に、およびサブフレームの所定のシンボル期間中で、装置１５０５が共有無線周波数スペクトルへのアクセスを取得したという指示を送信するために使用され得る。指示は、装置１５０５による他のワイヤレスデバイスへの送信の開始シンボルを含むシンボル期間を伝達し得る。いくつかの例では、所定のシンボル期間は、他のワイヤレスデバイスへの送信の開始シンボルを含み得る。いくつかの例では、アクセスおよび開始シンボル指示モジュール１５４５は、送信を含む無線フレームの持続時間に基づいて、所定のシンボル期間を選択し得る。
【０１３８】
[0161]送信管理モジュール１５４０は、示された開始シンボルに従って、共有無線周波数スペクトル上での他のワイヤレスデバイスへの送信を開始し得る。いくつかの例では、第１のワイヤレスデバイスへの送信を開始することは、第１のワイヤレスデバイスに仮想サブフレームを送信することを含み得る。いくつかの例では、送信管理モジュール１５４０は、第２のワイヤレスデバイスが共有無線周波数スペクトルへのアクセスを取得したという指示をアクセスおよび開始シンボル指示モジュール１５４５が送信する前に、他のワイヤレスデバイスへの送信を開始し得る。
【０１３９】
[0162]装置１５０５のいくつかの例では、他のワイヤレスデバイスへの送信はＰＤＣＣＨを含み得、送信管理モジュール１５４０は、開始シンボルを含むシンボル期間に基づいて、ＰＤＣＣＨのための送信電力を調整し得る。
【０１４０】
[0163]装置１５０５のいくつかの例では、仮想サブフレームは基準信号を含み得、基準信号は、無線フレームのサブフレームのフォーマットによって決定されたタイミングを有し得る。
【０１４１】
[0164]装置１５０５のいくつかの例では、第１のワイヤレスデバイスへの送信はＰＤＣＣＨを含み得、送信管理モジュール１５４０は、開始シンボルを含むシンボル期間に基づいて、ＰＤＣＣＨのための送信電力を調整し得る。
【０１４２】
[0165]図１６に、本開示の様々な態様による、ワイヤレス通信において使用するためのＵＥ１６１５のブロック図１６００を示す。ＵＥ１６１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ１６１５は、いくつかの例では、モバイル動作を可能にするために、小型バッテリーなどの内部電源（図示せず）を有し得る。いくつかの例では、ＵＥ１６１５は、図１または図２を参照しながら説明したＵＥ１１５、２１５、２１５−ａ、２１５−ｂ、または２１５−ｃのうちの１つまたは複数の態様、あるいは図１０、図１１、図１２、または図１３を参照しながら説明した装置１０１５、１１１５、１２１５、または１３１５のうちの１つまたは複数の態様の一例であり得る。ＵＥ１６１５は、図１、図２、図３、図４、図５、図６、図７、図８、図９、図１０、図１１、図１２、または図１３を参照しながら説明したＵＥまたは装置の特徴および機能のうちの少なくともいくつかを実装するように構成され得る。
【０１４３】
[0166]ＵＥ１６１５は、ＵＥプロセッサモジュール１６１０、ＵＥメモリモジュール１６２０、（（１つまたは複数の）ＵＥトランシーバモジュール１６３０によって表される）少なくとも１つのＵＥトランシーバモジュール、（（１つまたは複数の）ＵＥアンテナ１６４０によって表される）少なくとも１つのＵＥアンテナ、またはＵＥワイヤレス通信管理モジュール１６６０を含み得る。これらの構成要素の各々は、１つまたは複数のバス１６３５上で、直接または間接的に、互いと通信していることがある。
【０１４４】
[0167]ＵＥメモリモジュール１６２０は、ランダムアクセスメモリ（ＲＡＭ）または読取り専用メモリ（ＲＯＭ）を含み得る。ＵＥメモリモジュール１６２０は、実行されたとき、送信のための決定された開始シンボルに基づいて（たとえば、基地局から）送信を受信することを含む、ワイヤレス通信に関係する本明細書で説明する様々な機能をＵＥプロセッサモジュール１６１０に実行させるように構成された命令を含んでいるコンピュータ可読、コンピュータ実行可能コード１６２５を記憶し得る。代替的に、コード１６２５は、ＵＥプロセッサモジュール１６１０によって直接的に実行可能ではないが、（たとえば、コンパイルされ、実行されたとき）本明細書で説明する機能のうちのいくつかをＵＥ１６１５に実行させるように構成され得る。
【０１４５】
[0168]ＵＥプロセッサモジュール１６１０は、インテリジェントハードウェアデバイス、たとえば、中央処理ユニット（ＣＰＵ）、マイクロコントローラ、ＡＳＩＣなどを含み得る。ＵＥプロセッサモジュール１６１０は、（１つまたは複数の）ＵＥトランシーバモジュール１６３０を通して受信された情報、または（１つまたは複数の）ＵＥアンテナ１６４０を通した送信のために（１つまたは複数の）ＵＥトランシーバモジュール１６３０に送られるべき情報を処理し得る。ＵＥプロセッサモジュール１６１０は、単独で、または、ＵＥワイヤレス通信管理モジュール１６６０とともに、専用無線周波数スペクトルまたは共有無線周波数スペクトル上で通信すること（またはそれの上での通信を管理すること）の様々な態様を扱い得る。専用無線周波数スペクトルは、送信装置がアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。
【０１４６】
[0169]（１つまたは複数の）ＵＥトランシーバモジュール１６３０は、パケットを変調し、変調されたパケットを送信のために（１つまたは複数の）ＵＥアンテナ１６４０に与え、（１つまたは複数の）ＵＥアンテナ１６４０から受信されたパケットを復調するように構成されたモデムを含み得る。（１つまたは複数の）ＵＥトランシーバモジュール１６３０は、いくつかの例では、１つまたは複数のＵＥ送信機モジュールおよび１つまたは複数の別個のＵＥ受信機モジュールとして実装され得る。（１つまたは複数の）ＵＥトランシーバモジュール１６３０は、認可無線周波数スペクトルまたは無認可無線周波数スペクトル中での通信をサポートし得る。（１つまたは複数の）ＵＥトランシーバモジュール１６３０は、（１つまたは複数の）ＵＥアンテナ１６４０を介して、図１または図２を参照しながら説明した基地局１０５、２０５、または２０５−ａのうちの１つまたは複数、あるいは図１０、図１１、図１２、または図１３を参照しながら説明した装置１０１５、１１１５、１２１５、または１３１５のうちの１つまたは複数と双方向に通信するように構成され得る。ＵＥ１６１５は単一のＵＥアンテナを含み得るが、ＵＥ１６１５が複数のＵＥアンテナ１６４０を含み得る例があり得る。
【０１４７】
[0170]ＵＥ状態モジュール１６５０は、たとえば、ＲＲＣアイドル状態とＲＲＣ接続状態との間のＵＥ１６１５の遷移を管理するために使用され得、１つまたは複数のバス１６３５上で、直接または間接的に、ＵＥ１６１５の他の構成要素と通信していることがある。ＵＥ状態モジュール１６５０、またはそれの部分はプロセッサを含み得、あるいはＵＥ状態モジュール１６５０の機能の一部または全部は、ＵＥプロセッサモジュール１６１０によって実行されるか、またはＵＥプロセッサモジュール１６１０とともに実行され得る。
【０１４８】
[0171]ＵＥワイヤレス通信管理モジュール１６６０は、専用無線周波数スペクトルまたは共有無線周波数スペクトル上でのワイヤレス通信に関係する図１、図２、図３、図４、図５、図６、図７、図８、図９、図１０、図１１、図１２、または図１３を参照しながら説明したＵＥまたは装置の特徴または機能の一部または全部を実行または制御するように構成され得る。たとえば、ＵＥワイヤレス通信管理モジュール１６６０は、専用無線周波数スペクトルまたは共有無線周波数スペクトルを使用して、補足ダウンリンクモード（たとえば、認可支援アクセスモード）、キャリアアグリゲーションモード、またはスタンドアロンモードをサポートするように構成され得る。ＵＥワイヤレス通信管理モジュール１６６０は、専用無線周波数スペクトル中でのＬＴＥ／ＬＴＥ−Ａ通信を扱うように構成された、専用ＲＦスペクトルのためのＵＥ  ＬＴＥ／ＬＴＥ−Ａモジュール１６６５と、共有無線周波数スペクトル中でのＬＴＥ／ＬＴＥ−Ａ通信を扱うように構成された、共有ＲＦスペクトルのためのＵＥ  ＬＴＥ／ＬＴＥ−Ａモジュール１６７０とを含み得る。ＵＥワイヤレス通信管理モジュール１６６０、またはそれの部分はプロセッサを含み得、あるいはＵＥワイヤレス通信管理モジュール１６６０の機能の一部または全部は、ＵＥプロセッサモジュール１６１０によって実行されるか、またはＵＥプロセッサモジュール１６１０とともに実行され得る。いくつかの例では、ＵＥワイヤレス通信管理モジュール１６６０は、図１０、図１１、図１２、または図１３を参照しながら説明したワイヤレス通信管理モジュール１０２０、１１２０、１１２２０、または１３２０の一例であり得る。
【０１４９】
[0172]図１７に、本開示の態様による、ワイヤレス通信において使用するための基地局１７０５（たとえば、ｅＮＢの一部または全部を形成する基地局）のブロック図１７００を示す。いくつかの例では、基地局１７０５は、図１または図２を参照しながら説明した基地局１０５、２０５、または２０５−ａの１つまたは複数の態様、あるいは図１４または図１５を参照しながら説明した装置１４０５または１５０５のうちの１つまたは複数の態様の一例であり得る。基地局１７０５は、図１、図２、図３、図４、図５、図６、図７、図８、図９、図１４、または図１５を参照しながら説明した基地局の特徴および機能のうちの少なくともいくつかを実装するかまたは可能にするように構成され得る。
【０１５０】
[0173]基地局１７０５は、基地局プロセッサモジュール１７１０、基地局メモリモジュール１７２０、（（１つまたは複数の）基地局トランシーバモジュール１７５０によって表される）少なくとも１つの基地局トランシーバモジュール、（（１つまたは複数の）基地局アンテナ１７５５によって表される）少なくとも１つの基地局アンテナ、または基地局ワイヤレス通信管理モジュール１７６０を含み得る。基地局１７０５はまた、基地局通信モジュール１７３０またはネットワーク通信モジュール１７４０のうちの１つまたは複数を含み得る。これらの構成要素の各々は、１つまたは複数のバス１７３５上で、直接または間接的に、互いと通信していることがある。
【０１５１】
[0174]基地局メモリモジュール１７２０はＲＡＭまたはＲＯＭを含み得る。基地局メモリモジュール１７２０は、実行されたとき、共有無線周波数スペクトルへのアクセスを取得することと、共有無線周波数スペクトルへのアクセスが取得されたという指示をＵＥに送信すること（指示は、ＵＥへの送信の開始シンボルを含むシンボル期間を伝達する）と、示された開始シンボルに従ってＵＥへの送信を行うこととを含む、ワイヤレス通信に関係する本明細書で説明する様々な機能を基地局プロセッサモジュール１７１０に実行させるように構成された命令を含んでいるコンピュータ可読、コンピュータ実行可能コード１７２５を記憶し得る。代替的に、コード１７２５は、基地局プロセッサモジュール１７１０によって直接的に実行可能ではないが、（たとえば、コンパイルされ、実行されたとき）本明細書で説明する機能のうちのいくつかを基地局１７０５に実行させるように構成され得る。
【０１５２】
[0175]基地局プロセッサモジュール１７１０は、インテリジェントハードウェアデバイス、たとえば、ＣＰＵ、マイクロコントローラ、ＡＳＩＣなどを含み得る。基地局プロセッサモジュール１７１０は、（１つまたは複数の）基地局トランシーバモジュール１７５０、基地局通信モジュール１７３０、またはネットワーク通信モジュール１７４０を通して受信された情報を処理し得る。基地局プロセッサモジュール１７１０はまた、（１つまたは複数の）アンテナ１７５５を通した送信のために（１つまたは複数の）トランシーバモジュール１７５０に送られるべき情報、１つまたは複数の他の基地局１７０５−ａおよび１７０５−ｂへの送信のために基地局通信モジュール１７３０に送られるべき情報、または図１を参照しながら説明したコアネットワーク１３０の１つまたは複数の態様の一例であり得る、コアネットワーク１７４５への送信のためにネットワーク通信モジュール１７４０に送られるべき情報を処理し得る。基地局プロセッサモジュール１７１０は、単独で、または、基地局ワイヤレス通信管理モジュール１７６０とともに、専用無線周波数スペクトルまたは共有無線周波数スペクトル上で通信すること（またはそれの上での通信を管理すること）の様々な態様を扱い得る。専用無線周波数スペクトルは、送信装置がアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。
【０１５３】
[0176]（１つまたは複数の）基地局トランシーバモジュール１７５０は、パケットを変調し、変調されたパケットを送信のために（１つまたは複数の）基地局アンテナ１７５５に与え、（１つまたは複数の）基地局アンテナ１７５５から受信されたパケットを復調するように構成されたモデムを含み得る。（１つまたは複数の）基地局トランシーバモジュール１７５０は、いくつかの例では、１つまたは複数の基地局送信機モジュールおよび１つまたは複数の別個の基地局受信機モジュールとして実装され得る。（１つまたは複数の）基地局トランシーバモジュール１７５０は、専用無線周波数スペクトルまたは共有無線周波数スペクトル中での通信をサポートし得る。（１つまたは複数の）基地局トランシーバモジュール１７５０は、（１つまたは複数の）アンテナ１７５５を介して、図１、図２、または図１６を参照しながら説明したＵＥ１１５、２１５、２１５−ａ、２１５−ｂ、２１５−ｃ、または１６１５のうちの１つまたは複数、あるいは図１０、図１１、図１２、または図１３を参照しながら説明した装置１０１５、１１１５、１２１５、または１３１５のうちの１つまたは複数など、１つまたは複数のＵＥまたは装置と双方向に通信するように構成され得る。基地局１７０５は、たとえば、複数の基地局アンテナ１７５５（たとえば、アンテナアレイ）を含み得る。基地局１７０５は、ネットワーク通信モジュール１７４０を通してコアネットワーク１７４５と通信し得る。基地局１７０５はまた、基地局通信モジュール１７３０を使用して、基地局１７０５−ａおよび１７０５−ｂなど、他の基地局と通信し得る。
【０１５４】
[0177]基地局ワイヤレス通信管理モジュール１７６０は、専用無線周波数スペクトルまたは共有無線周波数スペクトル上でのワイヤレス通信に関係する図１、図２、図３、図４、図５、図６、図７、図８、図９、図１４、または図１５を参照しながら説明した特徴または機能の一部または全部を実行または制御するように構成され得る。たとえば、基地局ワイヤレス通信管理モジュール１７６０は、専用無線周波数スペクトルまたは共有無線周波数スペクトルを使用して、補足ダウンリンクモード（たとえば、認可支援アクセスモード）、キャリアアグリゲーションモード、またはスタンドアロンモードをサポートするように構成され得る。基地局ワイヤレス通信管理モジュール１７６０は、専用無線周波数スペクトル中でのＬＴＥ／ＬＴＥ−Ａ通信を扱うように構成された、専用ＲＦスペクトルのための基地局ＬＴＥ／ＬＴＥ−Ａモジュール１７６５と、共有無線周波数スペクトル中でのＬＴＥ／ＬＴＥ−Ａ通信を扱うように構成された、共有ＲＦスペクトルのための基地局ＬＴＥ／ＬＴＥ−Ａモジュール１７７０とを含み得る。基地局ワイヤレス通信管理モジュール１７６０、またはそれの部分はプロセッサを含み得、あるいは基地局ワイヤレス通信管理モジュール１７６０の機能の一部または全部は、基地局プロセッサモジュール１７１０によって実行されるか、または基地局プロセッサモジュール１７１０とともに実行され得る。いくつかの例では、基地局ワイヤレス通信管理モジュール１７６０は、図１４または図１５を参照しながら説明したワイヤレス通信管理モジュール１４２０または１５２０の一例であり得る。
【０１５５】
[0178]図１８は、本開示の様々な態様による、ワイヤレス通信のための例示的な方法１８００を示すフローチャートである。明快のために、方法１８００について、図１、図２、または図１６を参照しながら説明したＵＥ１１５、２１５、２１５−ａ、２１５−ｂ、２１５−ｃ、または１６１５のうちの１つまたは複数の態様、あるいは図１０、図１１、図１２、または図１３を参照しながら説明した装置１０１５、１１１５、１２１５、または１３１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１５６】
[0179]ブロック１８０５において、方法１８００は、第１のワイヤレスデバイス（たとえば、ＵＥ）によって、第２のワイヤレスデバイス（たとえば、基地局）が共有無線周波数スペクトルへのアクセスを取得したという指示について、サブフレームの少なくとも１つの所定のシンボル期間を監視することを含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。ブロック１８０５における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した共有ＲＦスペクトル監視モジュール１０３５、１１３５、１２３５、または１３３５を使用して実行され得る。
【０１５７】
[0180]ブロック１８１０において、方法１８００は、指示を検出したことに基づいて、共有無線周波数スペクトル上での第２のワイヤレスデバイスによる送信のための開始シンボルを決定することを含み得る。ブロック１８１０における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信開始シンボル決定モジュール１０４５、１１４５、１２４５、または１３４５、または送信受信管理モジュール１０４０、１１４０、１２４０、または１３４０を使用して実行され得る。
【０１５８】
[0181]ブロック１８１５において、方法１８００は、決定された開始シンボルに基づいて、共有無線周波数スペクトル上での第２のワイヤレスデバイスによる送信を受信することを含み得る。いくつかの例では、ブロック１８１５において実行される（１つまたは複数の）動作は、ブロック１８１０において実行される（１つまたは複数の）動作の前に、それの間に、またはそれの後に開始し得る。ブロック１８１５における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信受信管理モジュール１０４０、１１４０、１２４０、または１３４０を使用して実行され得る。
【０１５９】
[0182]ブロック１８２０において、方法１８００は、開始シンボルを含むシンボル期間に基づいて、基準信号を監視するための少なくとも１つのシンボル期間、基準信号または制御チャネルを監視するための共有無線周波数スペクトルの少なくとも１つのリソース要素、第２のワイヤレスデバイスによる送信を受信するためのリソース要素アグリゲーションレベル、第２のワイヤレスデバイスによる送信を受信するためのトランスポートブロックスケーリング、第２のワイヤレスデバイスによって送信されるＣＵＢＳの持続時間、ＣＵＢＳのコンテンツ、あるいは次のサブフレーム境界の前のシンボルの数のうちの少なくとも１つを決定することを随意に含み得る。ブロック１８２０における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信受信管理モジュール１０４０、１１４０、１２４０、または１３４０を使用して実行され得る。
【０１６０】
[0183]したがって、方法１８００はワイヤレス通信を提供し得る。方法１８００は一実装形態にすぎないこと、および方法１８００の動作は、他の実装形態が可能であるように、並べ替えられるかまたは場合によっては変更され得ることに留意されたい。
【０１６１】
[0184]図１９は、本開示の様々な態様による、ワイヤレス通信のための例示的な方法１９００を示すフローチャートである。明快のために、方法１９００について、図１、図２、または図１６を参照しながら説明したＵＥ１１５、２１５、２１５−ａ、２１５−ｂ、２１５−ｃ、または１６１５のうちの１つまたは複数の態様、あるいは図１０、図１１、図１２、または図１３を参照しながら説明した装置１０１５、１１１５、１２１５、または１３１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１６２】
[0185]ブロック１９０５において、方法１９００は、第２のワイヤレスデバイス（たとえば、基地局）が共有無線周波数スペクトルへのアクセスを取得したという指示を監視するためのサブフレームの少なくとも１つの所定のシンボル期間を（たとえば、ＵＥなど、第１のワイヤレスデバイスにおいて）識別することを含み得る。いくつかの例では、少なくとも１つの所定のシンボル期間は、第１のワイヤレスデバイスが関連付けられた事業者によって、静的にまたは半静的に構成され得る。いくつかの例では、少なくとも１つの所定のシンボル期間は、１つまたは複数の無線フレーム、無線フレームの１つまたは複数のサブフレーム、１つまたは複数の送信の間、あるいは少なくともオン所定のシンボル期間が変更されるまで、第１のワイヤレスデバイスが関連付けられた事業者によって構成され得る。いくつかの例では、少なくとも１つの所定のシンボル期間は、監視されるべきサブフレームを含む無線フレームの持続時間に基づいて、（たとえば、第１のワイヤレスデバイスによって）識別され得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。ブロック１９０５における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１１または図１２を参照しながら説明した監視シンボル期間識別モジュール１１５０または１２５０を使用して実行され得る。
【０１６３】
[0186]ブロック１９１０において、方法１９００は、第１のワイヤレスデバイスによって、第２のワイヤレスデバイスが共有無線周波数スペクトルへのアクセスを取得したという指示について、サブフレームの少なくとも１つの所定のシンボル期間を監視することを含み得る。ブロック１９１０における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した共有ＲＦスペクトル監視モジュール１０３５、１１３５、１２３５、または１３３５を使用して実行され得る。
【０１６４】
[0187]ブロック１９１５において、方法１９００は、共有無線周波数スペクトル上での第２のワイヤレスデバイスによる送信のための開始シンボルを決定するより前に、送信の少なくとも一部分を含む信号をバッファすることを含み得る。ブロック１９１５における（１つまたは複数の）動作は、図１０、図１１、図１２、図１３、または図１６を参照しながら説明したワイヤレス通信管理モジュール１０２０、１１２０、１２２０、１３２０、または１６６０、図１０、図１１、図１２、または図１３を参照しながら説明した送信受信管理モジュール１０４０、１１４０、１２４０、または１３４０、あるいは図１１を参照しながら説明したバッファ管理モジュール１１５５を使用して実行され得る。
【０１６５】
[0188]ブロック１９２０において、方法１９００は、開始シンボルの後に送信されたシンボル中で、第２のワイヤレスデバイスが共有無線周波数スペクトルへのアクセスを取得したという指示を検出することを含み得る。ブロック１９２０における（１つまたは複数の）動作は、図１０、図１１、図１２、図１３、または図１６を参照しながら説明したワイヤレス通信管理モジュール１０２０、１１２０、１２２０、１３２０、または１６６０、図１０、図１１、図１２、または図１３を参照しながら説明した送信受信管理モジュール１０４０、１１４０、１２４０、または１３４０、あるいは図１１または図１２を参照しながら説明したアクセス検出モジュール１１６０または１２６０を使用して実行され得る。
【０１６６】
[0189]ブロック１９２５において、方法１９００は、指示を検出したことに基づいて、共有無線周波数スペクトル上での第２のワイヤレスデバイスによる送信のための開始シンボルを決定することを含み得る。ブロック１９２５における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信開始シンボル決定モジュール１０４５、１１４５、１２４５、または１３４５、または送信受信管理モジュール１０４０、１１４０、１２４０、または１３４０を使用して実行され得る。
【０１６７】
[0190]ブロック１９３０において、方法１９００は、決定された開始シンボルに基づいて、共有無線周波数スペクトル上での第２のワイヤレスデバイスによる送信を受信することを含み得る。いくつかの例では、第２のワイヤレスデバイスによる送信を受信することは、ブロック１９１５においてバッファされた信号の少なくとも一部分を処理することを含み得る。ブロック１９３０における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信受信管理モジュール１０４０、１１４０、１２４０、または１３４０を使用して実行され得る。
【０１６８】
[0191]方法１９００のいくつかの例では、複数の所定のシンボル期間が、ブロック１９０５において識別され、ブロック１９１０において監視され得る。これらの例では、指示は、所定のシンボル期間のうちの１つ中で、ブロック１９１５において検出され得る。
【０１６９】
[0192]したがって、方法１９００はワイヤレス通信を提供し得る。方法１９００は一実装形態にすぎないこと、および方法１９００の動作は、他の実装形態が可能であるように、並べ替えられるかまたは場合によっては変更され得ることに留意されたい。
【０１７０】
[0193]図２０は、本開示の様々な態様による、ワイヤレス通信のための例示的な方法２０００を示すフローチャートである。明快のために、方法２０００について、図１、図２、または図１６を参照しながら説明したＵＥ１１５、２１５、２１５−ａ、２１５−ｂ、２１５−ｃ、または１６１５のうちの１つまたは複数の態様、あるいは図１０、図１１、図１２、または図１３を参照しながら説明した装置１０１５、１１１５、１２１５、または１３１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１７１】
[0194]ブロック２００５において、方法２０００は、第２のワイヤレスデバイス（たとえば、基地局）が共有無線周波数スペクトルへのアクセスを取得したという指示を監視するためのサブフレームの少なくとも１つの所定のシンボル期間を（たとえば、ＵＥなど、第１のワイヤレスデバイスにおいて）識別することを含み得る。いくつかの例では、少なくとも１つの所定のシンボル期間は、第１のワイヤレスデバイスが関連付けられた事業者によって、静的にまたは半静的に構成され得る。いくつかの例では、少なくとも１つの所定のシンボル期間は、１つまたは複数の無線フレーム、無線フレームの１つまたは複数のサブフレーム、１つまたは複数の送信の間、あるいは少なくともオン所定のシンボル期間が変更されるまで、第１のワイヤレスデバイスが関連付けられた事業者によって構成され得る。いくつかの例では、少なくとも１つの所定のシンボル期間は、監視されるべきサブフレームを含む無線フレームの持続時間に基づいて、（たとえば、第１のワイヤレスデバイスによって）識別され得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。ブロック２００５における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１１または図１２を参照しながら説明した監視シンボル期間識別モジュール１１５０または１２５０を使用して実行され得る。
【０１７２】
[0195]ブロック２０１０において、方法２０００は、第１のワイヤレスデバイスによって、第２のワイヤレスデバイスが共有無線周波数スペクトルへのアクセスを取得したという指示について、サブフレームの少なくとも１つの所定のシンボル期間を監視することを含み得る。いくつかの例では、指示は、共有無線周波数スペクトルに関するしきい値を上回るエネルギーを含み得る。ブロック２０１０における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した共有ＲＦスペクトル監視モジュール１０３５、１１３５、１２３５、または１３３５を使用して実行され得る。
【０１７３】
[0196]ブロック２０１５において、方法２０００は、少なくとも１つの所定のシンボル期間のうちの１つ中で、第２のワイヤレスデバイスが共有無線周波数スペクトルへのアクセスを取得したという指示を検出することを含み得る。ブロック２０１５における（１つまたは複数の）動作は、図１０、図１１、図１２、図１３、または図１６を参照しながら説明したワイヤレス通信管理モジュール１０２０、１１２０、１２２０、１３２０、または１６６０、図１０、図１１、図１２、または図１３を参照しながら説明した送信受信管理モジュール１０４０、１１４０、１２４０、または１３４０、あるいは図１１または図１２を参照しながら説明したアクセス検出モジュール１１６０または１２６０を使用して実行され得る。
【０１７４】
[0197]ブロック２０２０において、方法２０００は、指示を検出したことに基づいて、共有無線周波数スペクトル上での第２のワイヤレスデバイスによる送信のための開始シンボルを決定することを含み得る。いくつかの例では、開始シンボルを決定することは、第２のワイヤレスデバイスが共有無線周波数スペクトルへのアクセスを取得したという指示が検出されたシンボル期間を占有するシンボルとして、開始シンボルを識別することを含み得る。ブロック２０２０における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信開始シンボル決定モジュール１０４５、１１４５、１２４５、または１３４５、または送信受信管理モジュール１０４０、１１４０、１２４０、または１３４０を使用して実行され得る。
【０１７５】
[0198]ブロック２０２５において、方法２０００は、決定された開始シンボルに基づいて、共有無線周波数スペクトル上での第２のワイヤレスデバイスによる送信を受信することを含み得る。ブロック２０２５における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信受信管理モジュール１０４０、１１４０、１２４０、または１３４０を使用して実行され得る。
【０１７６】
[0199]方法２０００のいくつかの例では、複数の所定のシンボル期間が、ブロック２００５において識別され、ブロック２０１０において監視され得る。これらの例では、指示は、所定のシンボル期間のうちの１つ中で、ブロック２０１５において検出され得る。
【０１７７】
[0200]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０１７８】
[0201]図２１は、本開示の様々な態様による、ワイヤレス通信のための例示的な方法２１００を示すフローチャートである。明快のために、方法２１００について、図１、図２、または図１６を参照しながら説明したＵＥ１１５、２１５、２１５−ａ、２１５−ｂ、２１５−ｃ、または１６１５のうちの１つまたは複数の態様、あるいは図１０、図１１、図１２、または図１３を参照しながら説明した装置１０１５、１１１５、１２１５、または１３１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１７９】
[0202]ブロック２１０５において、方法２１００は、第１のワイヤレスデバイス（たとえば、ＵＥ）によって、第２のワイヤレスデバイス（たとえば、基地局）が共有無線周波数スペクトルへのアクセスを取得したという指示について、サブフレームの少なくとも１つの所定のシンボル期間を監視することを含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。ブロック２１０５における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した共有ＲＦスペクトル監視モジュール１０３５、１１３５、１２３５、または１３３５を使用して実行され得る。
【０１８０】
[0203]ブロック２１１０において、方法２１００は、指示を検出したことに基づいて、共有無線周波数スペクトル上での第２のワイヤレスデバイスによる送信のための開始シンボルを決定することを含み得る。ブロック２１１０における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信開始シンボル決定モジュール１０４５、１１４５、１２４５、または１３４５、または送信受信管理モジュール１０４０、１１４０、１２４０、または１３４０を使用して実行され得る。
【０１８１】
[0204]ブロック２１１５において、方法２１００は、第２のワイヤレスデバイスによる送信の、無線フレームの１サブフレーム超に及ぶ仮想サブフレームへのマッピングを決定することを含み得る。ブロック２１１５における（１つまたは複数の）動作は、図１０、図１１、図１２、図１３、または図１６を参照しながら説明したワイヤレス通信管理モジュール１０２０、１１２０、１２２０、１３２０、または１６６０、図１０、図１１、図１２、または図１３を参照しながら説明した送信受信管理モジュール１０４０、１１４０、１２４０、または１３４０、あるいは図１３を参照しながら説明した仮想サブフレームマッピング決定モジュール１３５０を使用して実行され得る。
【０１８２】
[0205]ブロック２１２０において、方法２１００は、決定された開始シンボルに基づいて、共有無線周波数スペクトル上での第２のワイヤレスデバイスによる送信を受信することを含み得る。送信は、無線フレームの１サブフレーム超にわたって（すなわち、ブロック２１１５において決定された、送信の、仮想サブフレームへのマッピングに従って）受信され得る。ブロック２１２０における（１つまたは複数の）動作は、図１０、図１１、図１２、図１３、または図１６を参照しながら説明したワイヤレス通信管理モジュール１０２０、１１２０、１２２０、１３２０、または１６６０、あるいは図１０、図１１、図１２、または図１３を参照しながら説明した送信受信管理モジュール１０４０、１１４０、１２４０、または１３４０を使用して実行され得る。
【０１８３】
[0206]いくつかの例では、方法２１００は、第２のワイヤレスデバイスによる送信の一部として基準信号を受信することを含み得、基準信号を受信することのタイミングが、無線フレームのサブフレームのフォーマットによって決定され得る。
【０１８４】
[0207]したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０１８５】
[0208]いくつかの例では、図１８、図１９、図２０、または図２１を参照しながら説明した方法１８００、１９００、２０００、または２１００のうちの２つまたはそれ以上の態様が組み合わせられ得る。
【０１８６】
[0209]図２２は、本開示の様々な態様による、ワイヤレス通信のための例示的な方法２２００を示すフローチャートである。明快のために、方法２２００について、図１、図２、または図１７を参照しながら説明した基地局１０５、２０５、２０５−ａ、または１７０５のうちの１つまたは複数の態様、あるいは図１４または図１５を参照しながら説明した装置１４０５または１５０５のうちの１つまたは複数の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１８７】
[0210]ブロック２２０５において、方法２２００は、第２のワイヤレスデバイス（たとえば、基地局）において共有無線周波数スペクトルへのアクセスを取得することを含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、共有無線周波数スペクトルへのアクセスを取得することは、ＣＣＡプロシージャを正常に実行することを含み得る。ブロック２２０５における（１つまたは複数の）動作は、図１４、図１５、または図１７を参照しながら説明したワイヤレス通信管理モジュール１４２０、１５２０、または１７６０、あるいは図１４または図１５を参照しながら説明したチャネル競合モジュール１４３５または１５３５を使用して実行され得る。
【０１８８】
[0211]ブロック２２１０において、方法２２００は、第１のワイヤレスデバイス（たとえば、ＵＥ）に、およびサブフレームの所定のシンボル期間中で、第２のワイヤレスデバイスが共有無線周波数スペクトルへのアクセスを取得したという指示を送信することを含み得る。指示は、第２のワイヤレスデバイスによる第１のワイヤレスデバイスへの送信の開始シンボルを備えるシンボル期間を伝達し得る。いくつかの例では、所定のシンボル期間は、第１のワイヤレスデバイスへの送信の開始シンボルを含み得る。いくつかの例では、方法２２００は、送信を含む無線フレームの持続時間に基づいて、所定のシンボル期間を選択することを含み得る。ブロック２２１０における（１つまたは複数の）動作は、図１４、図１５、または図１７を参照しながら説明したワイヤレス通信管理モジュール１４２０、１５２０、または１７６０、あるいは図１４または図１５を参照しながら説明した送信管理モジュール１４４０または１５４０、またはアクセスおよび開始シンボル指示モジュール１４４５または１５４５を使用して実行され得る。
【０１８９】
[0212]ブロック２２１５において、方法２２００は、開始シンボルを含むシンボル期間に基づいて、基準信号を送信するために使用すべき少なくとも１つのシンボル期間、基準信号または制御チャネルを送信するために使用すべき共有無線周波数スペクトルの少なくとも１つのリソース要素、第１のワイヤレスデバイスへの送信のためのリソース要素アグリゲーションレベル、第１のワイヤレスデバイスへの送信のためのトランスポートブロックスケーリング、ＣＵＢＳの持続時間、ＣＵＢＳのコンテンツ、あるいは次のサブフレーム境界の前のシンボルの数のうちの少なくとも１つを決定することを随意に含み得る。ブロック１８２０における（１つまたは複数の）動作は、図１４、図１５、または図１７を参照しながら説明したワイヤレス通信管理モジュール１４２０、１５２０、または１７６０、あるいは図１０、図１１、図１２、または図１３を参照しながら説明した送信受信管理モジュール１０４０、１１４０、１２４０、または１３４０を使用して実行され得る。
【０１９０】
[0213]ブロック２２２０において、方法２２００は、示された開始シンボルに従って、共有無線周波数スペクトル上での第１のワイヤレスデバイスへの送信を開始することを含み得る。ブロック２２２０における（１つまたは複数の）動作は、図１４、図１５、または図１７を参照しながら説明したワイヤレス通信管理モジュール１４２０、１５２０、または１７６０、あるいは図１４または図１５を参照しながら説明した送信管理モジュール１４４０または１５４０を使用して実行され得る。
【０１９１】
[0214]いくつかの例では、方法２２００は、ブロック２２１０において、第２のワイヤレスデバイスが共有無線周波数スペクトルへのアクセスを取得したという指示を送信する前に、ブロック２２２０において、第１のワイヤレスデバイスへの送信を開始することを含み得る。
【０１９２】
[0215]方法２２００のいくつかの例では、第１のワイヤレスデバイスへの送信はＰＤＣＣＨを含み得、方法２２００は、開始シンボルを備えるシンボル期間に基づいて、ＰＤＣＣＨのための送信電力を調整することを含み得る。
【０１９３】
[0216]したがって、方法２２００はワイヤレス通信を提供し得る。方法２２００は一実装形態にすぎないこと、および方法２２００の動作は、他の実装形態が可能であるように、並べ替えられるかまたは場合によっては変更され得ることに留意されたい。
【０１９４】
[0217]図２３は、本開示の様々な態様による、ワイヤレス通信のための例示的な方法２３００を示すフローチャートである。明快のために、方法２３００について、図１、図２、または図１７を参照しながら説明した基地局１０５、２０５、２０５−ａ、または１７０５のうちの１つまたは複数の態様、あるいは図１４または図１５を参照しながら説明した装置１４０５または１５０５のうちの１つまたは複数の態様に関して、以下で説明する。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０１９５】
[0218]ブロック２３０５において、方法２３００は、第２のワイヤレスデバイス（たとえば、基地局）において共有無線周波数スペクトルへのアクセスを取得することを含み得る。共有無線周波数スペクトルは、送信装置がアクセスを求めて競合する必要があり得る、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、共有無線周波数スペクトルへのアクセスを取得することは、ＣＣＡプロシージャを正常に実行することを含み得る。ブロック２３０５における（１つまたは複数の）動作は、図１４、図１５、または図１７を参照しながら説明したワイヤレス通信管理モジュール１４２０、１５２０、または１７６０、あるいは図１４または図１５を参照しながら説明したチャネル競合モジュール１４３５または１５３５を使用して実行され得る。
【０１９６】
[0219]ブロック２３１０において、方法２３００は、第１のワイヤレスデバイス（たとえば、ＵＥ）への送信を、無線フレームの１サブフレーム超に及ぶ仮想サブフレームにマッピングすることを含み得る。ブロック２３１０における（１つまたは複数の）動作は、図１４、図１５、または図１７を参照しながら説明したワイヤレス通信管理モジュール１４２０、１５２０、または１７６０、あるいは図１５を参照しながら説明した仮想サブフレームマッピングモジュール１５５０を使用して実行され得る。
【０１９７】
[0220]ブロック２３１５において、方法２３００は、第１のワイヤレスデバイス（たとえば、ＵＥ）に、およびサブフレームの所定のシンボル期間中で、第２のワイヤレスデバイスが共有無線周波数スペクトルへのアクセスを取得したという指示を送信することを含み得る。指示は、第２のワイヤレスデバイスによる第１のワイヤレスデバイスへの送信の開始シンボルを備えるシンボル期間を伝達し得る。いくつかの例では、所定のシンボル期間は、第１のワイヤレスデバイスへの送信の開始シンボルを含み得る。いくつかの例では、方法２３００は、送信を含む無線フレームの持続時間に基づいて、所定のシンボル期間を選択することを含み得る。ブロック２３１５における（１つまたは複数の）動作は、図１４、図１５、または図１７を参照しながら説明したワイヤレス通信管理モジュール１４２０、１５２０、または１７６０、あるいは図１４または図１５を参照しながら説明した送信管理モジュール１４４０または１５４０、またはアクセスおよび開始シンボル指示モジュール１４４５または１５４５を使用して実行され得る。
【０１９８】
[0221]ブロック２３２０において、方法２３００は、示された開始シンボルに従って、共有無線周波数スペクトル上での第１のワイヤレスデバイスへの送信を開始することを含み得る。いくつかの例では、第１のワイヤレスデバイスへの送信を開始することは、第１のワイヤレスデバイスに仮想サブフレームを送信することを含み得る。ブロック２３２０における（１つまたは複数の）動作は、図１４、図１５、または図１７を参照しながら説明したワイヤレス通信管理モジュール１４２０、１５２０、または１７６０、あるいは図１４または図１５を参照しながら説明した送信管理モジュール１４４０または１５４０を使用して実行され得る。
【０１９９】
[0222]いくつかの例では、方法２３００は、ブロック２３１０において、第２のワイヤレスデバイスが共有無線周波数スペクトルへのアクセスを取得したという指示を送信する前に、ブロック２３２０において、第１のワイヤレスデバイスへの送信を開始することを含み得る。
【０２００】
[0223]方法２３００のいくつかの例では、仮想サブフレームは基準信号を含み得、基準信号は、無線フレームのサブフレームのフォーマットによって決定されたタイミングを有し得る。
【０２０１】
[0224]方法２３００のいくつかの例では、第１のワイヤレスデバイスへの送信はＰＤＣＣＨを含み得、方法２３００は、開始シンボルを含むシンボル期間に基づいて、ＰＤＣＣＨのための送信電力を調整することを含み得る。
【０２０２】
[0225]したがって、方法２３００はワイヤレス通信を提供し得る。方法２３００は一実装形態にすぎないこと、および方法２３００の動作は、他の実装形態が可能であるように、並べ替えられるかまたは場合によっては変更され得ることに留意されたい。
【０２０３】
[0226]いくつかの例では、図２２および図２３を参照しながら説明した方法２２００および２３００の態様が組み合わせられ得る。
【０２０４】
[0227]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、共有無線周波数スペクトル上でのセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０２０５】
[0228]添付の図面に関して上記に記載された詳細な説明は、例について説明しており、実装され得るまたは特許請求の範囲内に入る例のすべてを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０２０６】
[0229]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２０７】
[0230]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２０８】
[0231]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２０９】
[0232]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２１０】
[0233]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
第１のワイヤレスデバイスによって、第２のワイヤレスデバイスが共有無線周波数スペクトルへのアクセスを取得したという指示について、サブフレームの少なくとも１つの所定のシンボル期間を監視することと、
前記指示を検出したことに基づいて、前記共有無線周波数スペクトル上での前記第２のワイヤレスデバイスによる送信のための開始シンボルを決定することと、
前記決定された開始シンボルに基づいて、前記共有無線周波数スペクトル上での前記第２のワイヤレスデバイスによる前記送信を受信することと
を備える、ワイヤレス通信の方法。
［Ｃ２］
前記開始シンボルの後に送信されたシンボル中で、前記第２のワイヤレスデバイスが前記共有無線周波数スペクトルへのアクセスを取得したという前記指示を検出すること
をさらに備える、Ｃ１に記載の方法。
［Ｃ３］
前記監視することが、複数の所定のシンボル期間を監視することを備え、前記方法は、  前記複数の所定のシンボル期間のうちの１つ中で、前記第２のワイヤレスデバイスが前記共有無線周波数スペクトルへのアクセスを取得したという前記指示を検出すること
をさらに備える、Ｃ１に記載の方法。
［Ｃ４］
前記少なくとも１つの所定のシンボル期間のうちの１つ中で、前記第２のワイヤレスデバイスが前記共有無線周波数スペクトルへのアクセスを取得したという前記指示を検出することをさらに備え、ここにおいて、前記開始シンボルを決定することは、
前記第２のワイヤレスデバイスが前記共有無線周波数スペクトルへのアクセスを取得したという前記指示が検出されたシンボル期間を占有するシンボルとして、前記開始シンボルを識別すること
を備える、
Ｃ１に記載の方法。
［Ｃ５］
前記サブフレームを備える無線フレームの持続時間に基づいて、前記サブフレームの前記少なくとも１つの所定のシンボル期間を識別すること
をさらに備える、Ｃ１に記載の方法。
［Ｃ６］
前記開始シンボルを備えるシンボル期間に基づいて、基準信号を監視するための少なくとも１つのシンボル期間、前記基準信号または制御チャネルを監視するための前記共有無線周波数スペクトルの少なくとも１つのリソース要素、前記第２のワイヤレスデバイスによる前記送信を受信するためのリソース要素アグリゲーションレベル、前記第２のワイヤレスデバイスによる前記送信を受信するためのトランスポートブロックスケーリング、前記第２のワイヤレスデバイスによって送信されるチャネル使用ビーコン信号（ＣＵＢＳ）の持続時間、前記ＣＵＢＳのコンテンツ、あるいは次のサブフレーム境界の前のシンボルの数のうちの少なくとも１つを決定すること
をさらに備える、Ｃ１に記載の方法。
［Ｃ７］
前記第２のワイヤレスデバイスによる前記送信の、無線フレームの１サブフレーム超に及ぶ仮想サブフレームへのマッピングを決定することをさらに備え、ここにおいて、前記第２のワイヤレスデバイスによる前記送信を受信することが、前記無線フレームの前記１サブフレーム超にわたる前記送信を受信することを備える、
Ｃ１に記載の方法。
［Ｃ８］
前記第２のワイヤレスデバイスによる前記送信の一部として基準信号を受信することをさらに備え、ここにおいて、前記基準信号を受信することのタイミングが、前記無線フレームのサブフレームのフォーマットによって決定される、
Ｃ７に記載の方法。
［Ｃ９］
第１のワイヤレスデバイスによって、第２のワイヤレスデバイスが共有無線周波数スペクトルへのアクセスを取得したという指示について、サブフレームの少なくとも１つの所定のシンボル期間を監視するための手段と、
前記指示を検出したことに基づいて、前記共有無線周波数スペクトル上での前記第２のワイヤレスデバイスによる送信のための開始シンボルを決定するための手段と、
前記決定された開始シンボルに基づいて、前記共有無線周波数スペクトル上での前記第２のワイヤレスデバイスによる前記送信を受信するための手段と
を備える、ワイヤレス通信のための装置。
［Ｃ１０］
前記開始シンボルの後に送信されたシンボル中で、前記第２のワイヤレスデバイスが前記共有無線周波数スペクトルへのアクセスを取得したという前記指示を検出するための手段
をさらに備える、Ｃ９に記載の装置。
［Ｃ１１］
監視するための前記手段が、複数の所定のシンボル期間を監視するための手段を備え、前記装置は、
前記複数の所定のシンボル期間のうちの１つ中で、前記第２のワイヤレスデバイスが前記共有無線周波数スペクトルへのアクセスを取得したという前記指示を検出するための手段
をさらに備える、Ｃ９に記載の装置。
［Ｃ１２］
前記少なくとも１つの所定のシンボル期間のうちの１つ中で、前記第２のワイヤレスデバイスが前記共有無線周波数スペクトルへのアクセスを取得したという前記指示を検出するための手段をさらに備え、ここにおいて、前記開始シンボルを決定するための前記手段は、
前記第２のワイヤレスデバイスが前記共有無線周波数スペクトルへのアクセスを取得したという前記指示が検出されたシンボル期間を占有するシンボルとして、前記開始シンボルを識別するための手段
を備える、
Ｃ９に記載の装置。
［Ｃ１３］
前記サブフレームを備える無線フレームの持続時間に基づいて、前記サブフレームの前記少なくとも１つの所定のシンボル期間を識別するための手段
をさらに備える、Ｃ９に記載の装置。
［Ｃ１４］
前記開始シンボルを備えるシンボル期間に基づいて、基準信号を監視するための少なくとも１つのシンボル期間、前記基準信号または制御チャネルを監視するための前記共有無線周波数スペクトルの少なくとも１つのリソース要素、前記第２のワイヤレスデバイスによる前記送信を受信するためのリソース要素アグリゲーションレベル、前記第２のワイヤレスデバイスによる前記送信を受信するためのトランスポートブロックスケーリング、前記第２のワイヤレスデバイスによって送信されるチャネル使用ビーコン信号（ＣＵＢＳ）の持続時間、前記ＣＵＢＳのコンテンツ、あるいは次のサブフレーム境界の前のシンボルの数のうちの少なくとも１つを決定するための手段
をさらに備える、Ｃ９に記載の装置。
［Ｃ１５］
前記第２のワイヤレスデバイスによる前記送信の、無線フレームの１サブフレーム超に及ぶ仮想サブフレームへのマッピングを決定するための手段をさらに備え、ここにおいて、前記第２のワイヤレスデバイスによる前記送信を受信することが、前記無線フレームの前記１サブフレーム超にわたる前記送信を受信することを備える、
Ｃ９に記載の装置。
［Ｃ１６］
前記第２のワイヤレスデバイスによる前記送信の一部として基準信号を受信するための手段をさらに備え、ここにおいて、前記基準信号を受信することのタイミングが、前記無線フレームのサブフレームのフォーマットによって決定される、
Ｃ９に記載の装置。
［Ｃ１７］
第２のワイヤレスデバイスにおいて共有無線周波数スペクトルへのアクセスを取得することと、
第１のワイヤレスデバイスに、およびサブフレームの所定のシンボル期間中で、前記第２のワイヤレスデバイスが前記共有無線周波数スペクトルへのアクセスを取得したという指示を送信することと、ここにおいて、前記指示が、前記第２のワイヤレスデバイスによる前記第１のワイヤレスデバイスへの送信の開始シンボルを備えるシンボル期間を伝達する、
前記示された開始シンボルに従って、前記共有無線周波数スペクトル上での前記第１のワイヤレスデバイスへの前記送信を開始することと
を備える、ワイヤレス通信の方法。
［Ｃ１８］
前記第１のワイヤレスデバイスへの前記送信が物理ダウンリンク制御チャネル（ＰＤＣＣＨ）を備え、前記方法が、
前記開始シンボルを備える前記シンボル期間に基づいて、前記ＰＤＣＣＨのための送信電力を調整すること
をさらに備える、Ｃ１７に記載の方法。
［Ｃ１９］
前記第２のワイヤレスデバイスが前記共有無線周波数スペクトルへのアクセスを取得したという前記指示を送信する前に、前記第１のワイヤレスデバイスへの前記送信を開始すること
をさらに備える、Ｃ１７に記載の方法。
［Ｃ２０］
前記所定のシンボル期間が、前記第１のワイヤレスデバイスへの前記送信の前記開始シンボルを備える、Ｃ１７に記載の方法。
［Ｃ２１］
前記開始シンボルを備える前記シンボル期間に基づいて、基準信号を送信するために使用すべき少なくとも１つのシンボル期間、前記基準信号または制御チャネルを送信するために使用すべき前記共有無線周波数スペクトルの少なくとも１つのリソース要素、前記第１のワイヤレスデバイスへの前記送信のためのリソース要素アグリゲーションレベル、前記第１のワイヤレスデバイスへの前記送信のためのトランスポートブロックスケーリング、前記第１のワイヤレスデバイスへの送信のためのチャネル使用ビーコン信号（ＣＵＢＳ）の持続時間、前記ＣＵＢＳのコンテンツ、あるいは次のサブフレーム境界の前のシンボルの数のうちの少なくとも１つを決定すること
をさらに備える、Ｃ１７に記載の方法。
［Ｃ２２］
前記第１のワイヤレスデバイスへの前記送信を、無線フレームの１サブフレーム超に及ぶ仮想サブフレームにマッピングすること
をさらに備える、Ｃ１７に記載の方法。
［Ｃ２３］
前記第１のワイヤレスデバイスに前記仮想サブフレームを送信することをさらに備え、前記仮想サブフレームが、前記無線フレームのサブフレームのフォーマットによって決定されるタイミングを有する基準信号を備える、
Ｃ２２に記載の方法。
［Ｃ２４］
第２のワイヤレスデバイスにおいて共有無線周波数スペクトルへのアクセスを取得するための手段と、
第１のワイヤレスデバイスに、およびサブフレームの所定のシンボル期間中で、前記第２のワイヤレスデバイスが前記共有無線周波数スペクトルへのアクセスを取得したという指示を送信するための手段と、ここにおいて、前記指示が、前記第２のワイヤレスデバイスによる前記第１のワイヤレスデバイスへの送信の開始シンボルを備えるシンボル期間を伝達する、
前記示された開始シンボルに従って、前記共有無線周波数スペクトル上での前記第１のワイヤレスデバイスへの前記送信を開始するための手段と
を備える、ワイヤレス通信のための装置。
［Ｃ２５］
前記第１のワイヤレスデバイスへの前記送信が物理アップリンク制御チャネル（ＰＵＣＣＨ）を備え、前記装置が、
前記開始シンボルを備える前記シンボル期間に基づいて、前記ＰＵＣＣＨのための送信電力を調整するための手段
をさらに備える、Ｃ２４に記載の装置。
［Ｃ２６］
前記第２のワイヤレスデバイスが前記共有無線周波数スペクトルへのアクセスを取得したという前記指示を送信する前に、前記第１のワイヤレスデバイスへの前記送信を開始するための手段
をさらに備える、Ｃ２４に記載の装置。
［Ｃ２７］
前記所定のシンボル期間が、前記第１のワイヤレスデバイスへの前記送信の前記開始シンボルを備える、Ｃ２４に記載の装置。
［Ｃ２８］
前記開始シンボルを備える前記シンボル期間に基づいて、基準信号を送信するために使用すべき少なくとも１つのシンボル期間、前記基準信号または制御チャネルを送信するために使用すべき前記共有無線周波数スペクトルの少なくとも１つのリソース要素、前記第１のワイヤレスデバイスへの前記送信のためのリソース要素アグリゲーションレベル、前記第１のワイヤレスデバイスへの前記送信のためのトランスポートブロックスケーリング、前記第１のワイヤレスデバイスへの送信のためのチャネル使用ビーコン信号（ＣＵＢＳ）の持続時間、前記ＣＵＢＳのコンテンツ、あるいは次のサブフレーム境界の前のシンボルの数のうちの少なくとも１つを決定するための手段
をさらに備える、Ｃ２４に記載の装置。
［Ｃ２９］
前記第１のワイヤレスデバイスへの前記送信を、無線フレームの１サブフレーム超に及ぶ仮想サブフレームにマッピングするための手段
をさらに備える、Ｃ２４に記載の装置。
［Ｃ３０］
前記第１のワイヤレスデバイスに前記仮想サブフレームを送信するための手段をさらに備え、前記仮想サブフレームが、前記無線フレームのサブフレームのフォーマットによって決定されるタイミングを有する基準信号を備える、
Ｃ２４に記載の装置。
【図１】
0006665187.tif 000002
【図２】
0006665187.tif 000003
【図３】
0006665187.tif 000004
【図４Ａ】
0006665187.tif 000005
【図４Ｂ】
0006665187.tif 000006
【図５】
0006665187.tif 000007
【図６】
0006665187.tif 000008
【図７】
0006665187.tif 000009
【図８】
0006665187.tif 000010
【図９】
0006665187.tif 000011
【図１０】
0006665187.tif 000012
【図１１】
0006665187.tif 000013
【図１２】
0006665187.tif 000014
【図１３】
0006665187.tif 000015
【図１４】
0006665187.tif 000016
【図１５】
0006665187.tif 000017
【図１６】
0006665187.tif 000018
【図１７】
0006665187.tif 000019
【図１８】
0006665187.tif 000020
【図１９】
0006665187.tif 000021
【図２０】
0006665187.tif 000022
【図２１】
0006665187.tif 000023
【図２２】
0006665187.tif 000024
【図２３】
0006665187.tif 000025